(57)【要約】  本発明は、光学素子（１００、５００、６００、７００）を開示する。光学素子（１００、５００、６００、７００）は、側壁（１１２、５１２）を有する支持構造（１０１、５０１）、側壁（１１２、５１２）に取り付けられた屈曲可能なカバー部材（１０２、５０２、７０２）及び屈曲可能なカバー部材（１０２、５０２、７０２）を所望の形状に成形するように配置された１以上の圧電アクチュエータ（１０３、１０４、１０５）を含み、光学素子（１００、５００、６００、７００）は、光軸（１１０、５１０）を有する光学活性領域（１１１、５１１）を含み、ここで、光軸（１１０、５１０）に平行な方向から観察したときの１以上の圧電アクチュエータ（１０３、１０４、１０５）の外縁（２１５Ａ〜Ｅ）は、第１線を定義し、支持構造（１０１、５０１）と屈曲可能なカバー部材（１０２、５０２、７０２）との間の界面における、光軸（１１０、５１０）に平行な方向から観察したときの支持構造（１０１、５０１）の内縁（１０９）は、第２線を定義し、光軸（１１０、５１０）に平行な方向から観察したときの第１線及び第２線は、２以上の位置で互いに交差し、及び／又は１以上の位置で平行でありかつ一致する。【選択図】図１
2020510245.tif 000002
【特許請求の範囲】
【請求項１】
以下を含む光学素子（１００、５００、６００、７００）：
−  側壁（１１２、５１２）を有する支持構造（１０１、５０１）、
−  以下に取り付けられた屈曲可能なカバー部材（１０２、５０２、７０２）、
○  前記側壁（１１２、５１２）、
−  前記屈曲可能なカバー部材（１０２、５０２、７０２）を所望の形状に成形するように配置された１以上の圧電アクチュエータ（１０３、１０４、１０５）、ここで、前記１以上の圧電アクチュエータ（１０３、１０４、１０５）は、圧電材（１０４）と、前記圧電材の上方及び／又は下方の電極層（１０３、１０５）と、を含む、
ここで、前記光学素子（１００、５００、６００、７００）は、光軸（１１０、５１０）を有する光学活性領域（１１１、５１１）を含み、ここで、
−  前記１以上の圧電アクチュエータは、前記光軸を完全に囲む閉じた線を形成し、前記光軸（１１０、５１０）に平行な方向から観察したときの前記１以上の圧電アクチュエータ（１０３、１０４、１０５）の外縁（２１５Ａ〜Ｅ）は、第１線を定義し、ここで、前記外縁は、前記光軸とは反対側に面する前記１以上の圧電アクチュエータの前記縁に対応する閉じた線であり、
−  前記光軸（１１０、５１０）に平行な方向から観察したときの前記支持構造（１０１、５０１）と前記屈曲可能なカバー部材（１０２、５０２、７０２）との間の界面における前記支持構造（１０１、５０１）の内縁（１０９）は、第２線を定義し、
ここで、前記光軸（１１０、５１０）に平行な方向から観察したときの前記第１線及び前記第２線は、
−  ２以上の位置で互いに交差し、及び／又は
−  １以上の位置で平行でありかつ一致する。
【請求項２】
先行する請求項のいずれかに記載の光学素子（１００、５００、６００）、ここで、上方及び下方は前記光軸に平行な方向を表し、上方は前記支持構造から前記カバー部材への正方向であり、下方は前記支持構造から前記カバー部材への負方向である。
【請求項３】
先行する請求項のいずれかに記載の光学素子（１００、５００、６００）、ここで、前記１以上の圧電アクチュエータに含まれる、前記圧電材の上方及び／又は下方の前記電極層の１以上の部分は、前記光軸に平行な線と交差する前記１以上の部分であり、該線も前記圧電材と交差する。
【請求項４】
先行する請求項のいずれかに記載の光学素子（１００、５００、６００）、ここで、前記光学素子は、以下を含む：
ａ．下部電極（１０３）、
ｂ．圧電活性層（１０４）形態の圧電材、及び
ｃ．上部電極（１０５）、
ここで、前記光軸（１１０、５１０）に平行な方向から観察したときの前記１以上の圧電アクチュエータの位置は、前記下部電極（１０３）、前記圧電活性層（１０４）及び前記上部電極（１０５）の全てが重なる位置によって与えられる（なお、これらの位置でのみ前記圧電活性層を駆動させることができる）。
【請求項５】
先行する請求項のいずれかに記載の光学素子（１００、５００、６００）、ここで、前記第２線は、丸い角を有する正方形などの長方形を定義する。
【請求項６】
先行する請求項のいずれかに記載の光学素子（１００、５００、６００）、ここで、前記第２線は、丸い角を有する正方形を定義する。
【請求項７】
先行する請求項のいずれかに記載の光学素子（１００、５００、６００）、ここで、前記光学素子は、以下を含む屈折レンズである：
−  前記支持構造の前記側壁（１０１、５０１）によって囲まれた少なくとも１の変形可能な透明レンズ本体（１０７、５０７）、
ここで、前記屈曲可能なカバー部材（１０２、５０２）は、以下に取り付けられた屈曲可能な透明カバー部材である。
〇  前記少なくとも１の変形可能な透明レンズ本体（１０７、５０７）の表面
【請求項８】
先行する請求項のいずれかに記載の光学素子（７００）、ここで、前記光学素子は反射素子であり、ここで、前記屈曲可能なカバー部材（７０２）は、前記支持構造とは反対側に面する側及び／又は前記支持構造に面する側が反射性である。
【請求項９】
先行する請求項のいずれかに記載の光学素子（１００、５００、６００、７００）、ここで、前記１以上の圧電アクチュエータ（１０３、１０４、１０５）に印加される４０ボルトの範囲全体（例えば、０〜４０ボルト）、例えば、１００ボルトの範囲（例えば、０〜１００ボルト）にわたる全波面誤差（ＷＦＥＲＭＳ）は６０ｎｍ以下であり、例えば、５０ｎｍ、４０ｎｍ、３０ｎｍ、２５ｎｍ、２０ｎｍなどである。
【請求項１０】
先行する請求項のいずれかに記載の光学素子（１００、５００、６００、７００）、ここで、５ジオプトリの範囲全体、例えば、１０ジオプトリの範囲全体、１３ジオプトリの範囲全体、例えば、［−３；＋１０］ジオプトリの範囲全体）、２８ジオプトリの範囲全体、３０ジオプトリの範囲全体（例えば、［−４；＋２６］ジオプトリ）、５４ジオプトリの範囲全体（例えば、［−４；＋５０］ジオプトリ）などにわたって、全波面誤差（ＷＦＥＲＭＳ）は６０ｎｍ以下であり、例えば、５０ｎｍ、４０ｎｍ、３０ｎｍ、２５ｎｍ、２０ｎｍなどである。
【請求項１１】
先行する請求項のいずれかに記載の光学素子（１００、５００、６００、７００）、ここで、［１／ｘ；１／（ｘ＋５メートル）］の焦点距離の範囲全体、例えば、［１／ｘ；１／（ｘ＋１０メートル）］の焦点距離の範囲全体、［１／ｘ；１／（ｘ＋１３メートル）］の焦点距離の範囲全体、［−１／３メートル−１；＋１／１０メートル−１］の焦点距離の範囲全体、［−１／４メートル−１；＋１／２６メートル−１］の焦点距離の範囲全体、［−１／４メートル−１；＋１／５０メートル−１］の焦点距離の範囲全体などにわたって、全波面誤差（ＷＦＥＲＭＳ）は６０ｎｍ以下であり、例えば、５０ｎｍ、４０ｎｍ、３０ｎｍ、２５ｎｍ、２０ｎｍなどであり、ここで、ｘは任意に選択された長さである。
【請求項１２】
先行する請求項のいずれかに記載の光学素子（１００、５００、６００、７００）、ここで、
−  前記第１及び第２線が交差しないか、又は１以上の位置で平行でありかつ一致する、対応する光学素子のための前記１以上の圧電アクチュエータ（１０３、１０４、１０５）に印加される４０ボルトの範囲全体、例えば、１００ボルトの範囲にわたる最大全波面誤差（ＷＦＥＲＭＳ）は、
−  前記光軸（１１０、５１０）に平行な方向から観察したときの前記第１線及び前記第２線が
〇  ２以上の位置で互いに交差し、及び／又は
１以上の位置で平行でありかつ一致する、前記光学素子のための前記１以上の圧電アクチュエータ（１０３、１０４、１０５）に印加される４０ボルトの範囲全体、例えば、１００ボルトの範囲にわたる最大全波面誤差（ＷＦＥＲＭＳ）より、
少なくとも１０％、例えば、２０％、３０％、４０％、５０％、１００％、２５０％だけ大きい。
【請求項１３】
先行する請求項のいずれかに記載の光学素子（１００、５００、６００、７００）、ここで、光学活性領域は、光学アパーチャに対応する。
【請求項１４】
先行する請求項のいずれかに記載の光学素子（１００、５００、６００、７００）、ここで、前記屈曲可能なカバー部材（１０２、５０２、７０２）は、ヤング率が２０〜６０ＧＰａのガラスなどのガラスである。
【請求項１５】
請求項９〜１２のいずれか一項に記載の光学素子（１００、５００、６００、７００）、ここで、前記全波面誤差（ＷＦＥＲＭＳ）は６３０ｎｍで測定される。
【請求項１６】
先行する請求項のいずれかに記載の光学素子（１００、５００、６００、７００）、ここで、前記１以上の圧電アクチュエータは、前記光軸を囲む１の圧電アクチュエータを含み、前記圧電アクチュエータの前記光軸に面する内縁は、前記光軸を中心とする円を形成する。
【請求項１７】
先行する請求項のいずれかに記載の光学素子（１００、５００、６００、７００）、ここで、前記第１線は、円形状に丸い角を有する正方形などの丸い角を有する正方形である。
【請求項１８】
先行する請求項のいずれかに記載の光学素子（１００、５００、６００、７００）、ここで、前記第１線は、円形状などのような、実質的に円形状である。
【請求項１９】
先行する請求項のいずれかに記載の光学素子（１００、５００、６００、７００）、ここで：
−  前記光学レンズは、９５％以上の、例えば、波長範囲及び入射角範囲内の平均透過率を有し、
−  可視範囲にわたる最小透過率は、例えば、任意の可視波長において、９４％以上であり、及び／又は、ここで、
可視範囲にわたる波長範囲が任意の可視波長に限定されるような平均反射率は２．５％以下である。
【請求項２０】
先行する請求項のいずれかに記載の光学素子（１００、５００、６００、７００）、ここで、前記支持構造（１０１、５０１）の前記内縁（１０９）は、外接する長方形又は正方形の最小辺長が、２．５ｍｍ以上、例えば、２．８ｍｍ以上、３．０ｍｍ以上、３．５ｍｍ以上、３．８ｍｍ以上、４．０ｍｍ以上、４．５ｍｍ以上、５ｍｍ、１０ｍｍなどになるように開口部を定義する。
【請求項２１】
先行する請求項のいずれかに記載の光学素子（１００、５００、６００、７００）、ここで、前記光学素子の厚さ（５１８、６１８）は、１ｍｍ以下、例えば、７００マイクロメートル以下、５００マイクロメートル以下、４５０マイクロメートル以下、４２５マイクロメートル以下、４００マイクロメートルなどである。
【請求項２２】
先行する請求項のいずれかに記載の光学素子（１００、５００、６００、７００）、ここで、前記支持構造（１０１、５０１）の前記内縁（１０９）は、外接する正方形又は外接する長方形が提供され得る開口部を定義し、ここで、前記光軸に平行な方向から観察したときの前記第１線及び前記第２線は、以下の位置において交差し、又は平行でありかつ一致する。
ａ．前記外接する正方形又は前記外接する長方形の最も近い辺の中心
から
ｂ．前記外接する正方形又は前記外接する長方形の最も近い辺への前記位置への投影
までの距離が、
前記外接する正方形又は前記外接する長方形の辺長の半分の［１０；９０］％の範囲内、例えば、前記外接する正方形又は前記外接する長方形の辺長の半分の［１５；８５］％の範囲内、［２０；８０］％の範囲内、［２５；７５］％の範囲内、［３０；７０］％の範囲内、［４０；６０］％の範囲内、［４５；６０］％の範囲内、［５０；５５］％の範囲内などである位置
【請求項２３】
請求項７に記載の光学レンズ（１００、５００、６００）、ここで、前記少なくとも１の変形可能な透明レンズ本体は、固体ポリマーなどのポリマーを含む。
【請求項２４】
請求項７又は２３に記載の光学レンズ（１００、５００、６００）、ここで、前記少なくとも１の変形可能な透明レンズ本体は、３００Ｐａより大きい弾性率、１．３５を超える屈折率、及び厚さ１ミリメートル当たり１０％より小さい可視範囲における吸光度を有していてもよい。
【請求項２５】
先行する請求項のいずれかに記載の光学素子（１００、５００、６００、７００）、ここで、前記光学活性領域の直径は、１０ｍｍ以下、例えば、７．５ｍｍ以下、５ｍｍ以下、２．５ｍｍ以下、１．９ｍｍ以下、１．５５ｍｍ以下、１ｍｍ以下などである。
【請求項２６】
先行する請求項のいずれかに記載の光学素子（１００、５００、６００、７００）、ここで、前記光学活性領域の直径は、１ｍｍ以上、例えば、１．５５ｍｍ以上、１．９ｍｍ以上、２ｍｍ以上、２．５ｍｍ以上などである。
【請求項２７】
先行する請求項のいずれかに記載の光学素子（１００、５００、６００、７００）、ここで、前記１以上の圧電アクチュエータ及び前記屈曲可能なカバー部材は、例えば、５ジオプトリの範囲全体、１０ジオプトリの範囲全体、１３ジオプトリの範囲全体、例えば、［−３；＋１０］ジオプトリの範囲全体）などにわたって、前記１以上の圧電アクチュエータが駆動時に前記屈曲可能なカバー部材を直接変形させるように配置されている。
【請求項２８】
先行する請求項のいずれかに記載の光学素子（１００、５００、６００、７００）を製造するための方法であって、前記方法は、以下を含む：
−  堆積によって前記屈曲可能なカバー部材（１０２、５０２、７０２）の上に前記１以上の圧電アクチュエータ（１０３、１０４、１０５）を提供すること。
【請求項２９】
以下を含むカメラ 
ｃ．請求項１〜２７のいずれか一項に記載の光学素子（１００、５００、６００、７００）、又は
ｄ．請求項２８に従って製造された光学素子（１００、５００、６００、７００）。
【請求項３０】
以下の使用であって
ｃ．請求項１〜２７のいずれか一項に記載の光学素子（１００、５００、６００、７００）、又は
ｄ．請求項２８に従って製造された光学素子（１００、５００、６００、７００）、
１以上の画像を取得するためのもの。
【発明の詳細な説明】
【技術分野】
【０００１】
本発明は、光学素子に関し、より具体的には、圧電駆動式光学素子並びにそれに対応する用途、光学デバイス及び圧電駆動式光学素子の製造方法に関する。
【背景技術】
【０００２】
調節可能な焦点距離及び可能な最高画質を有する、レンズアセンブリのような光学素子のための、低コストで大量の解決策への需要が高まり続けている。最近の携帯電話などは、現在小型のデジタルカメラモジュールを備えており、レンズやレンズアセンブリのような光学素子に対する品質及びコストへの需要が高まっている。携帯電話及びラップトップコンピュータに使用される、ますます小型化されるカメラは、オートフォーカス機能を有する。例えば、そのような用途のためのレンズシステムの設計は、レンズをカメラモジュールの上に取り付ける際の製造基準から操作の容易性さまで、多くの要件を満たすことが要求される。これらの課題は、例えばレンズから撮影対象までの距離を合わせるために焦点距離を調節しなければならないような、オートフォーカスレンズにおける調整パラメータがレンズ配置に含まれる場合、さらに重大になる。そのような光学素子は、通常、簡単に光学素子を組み立てることを妨げ得る可動性部品を含む複雑な設計である。そのような設計におけるさらなる課題は、そのような使用のために、レンズアセンブリのような適切な光学素子を提供することに対する要求がますます高まっていることである。
【０００３】
そこで、コンパクトなオートフォーカス光学素子を製造するための、様々な解決策が存在している。現在の解決策の１の課題は、良好な光学特性を如何にして提供するかである。
【０００４】
したがって、改善された光学特性を有する光学素子が有利であり、特に改善された光学特性を有する調整可能な光学マイクロレンズが有利である。
【発明の概要】
【０００５】
本発明は、上述の従来技術における課題を解決する、改善された光学特性を有する（調整可能な光学素子のような）光学素子を提供するなど、調整可能な光学素子のような光学素子を提供することを目的とすることであると分かる。本発明は、従来技術に対する代替案を提供することをさらなる目的とすることであると分かる。
【０００６】
したがって、以下を含む光学素子を提供することによって本発明の第１態様において上述の目的及び他のいくつかの目的が達成されることを意図している：
−  側壁を有する支持構造、
−  以下に取り付けられた屈曲可能なカバー部材、
〇  前記側壁、
−  前記屈曲可能なカバー部材を所望の形状に成形するように配置された１以上の圧電アクチュエータ、
ここで、前記光学素子は、光軸を有する光学活性領域を含み、ここで、
−  前記光軸に平行な方向から観察したときの前記１以上の圧電アクチュエータの外縁は、第１線を定義し、
−  前記光軸に平行な方向から観察したときの、前記支持構造の前記側壁などの前記支持構造と前記屈曲可能なカバー部材との間の界面における前記支持構造の内縁は、第２線を定義し、
ここで、前記光軸に平行な方向から観察したときの前記第１線及び前記第２線は、
−  例えば、２、３、４、８、１６、３２又はそれ以上の位置で互いに交差し、及び／又は
−  例えば、残りの第１線（例えば、第２線と平行でなく一致しない第１線の部分）が第２線で囲まれた領域の内側又は外側にある場合、１以上の位置、例えば、１、２、３、４、８、１６、３２又はそれ以上の位置で平行でありかつ一致する。
【０００７】
本発明は、限定されるものではないが、特に、低全波面誤差（ＷＦＥＲＭＳ）などの改善された光学特性を有し得る、光学（屈折）レンズなどの光学素子、又は調節可能なマイクロレンズや調節可能なマイクロミラーなどの屈折素子を取得することに有利である。本発明者らは、低全ＷＦＥＲＭＳ（例えば、６０ｎｍ未満）を有する光学素子、たとえ小さい光学活性領域（例えば、アパーチャなどの幅１０ｍｍ未満の光学活性領域）及び小さい厚さ（例えば、厚さ１ｍｍ未満）を有する光学素子であっても取得することが可能となり得るという洞察を得た。
【０００８】
「光学素子」とは、素子（例えば、素子は、光学屈折レンズなどの光学レンズ）を通過する光に作用（例えば、操作）する素子であるか、光学素子（例えば、素子は、反射素子又はミラー）から反射される光に作用する素子であると理解することができる。
【０００９】
光学素子は、一般的に調整可能な光学素子であり得る。「調整可能」とは、例えば、前記屈曲可能なカバー部材を所望の形状に成形するように配置された１以上の圧電アクチュエータに印加される電圧を変えることによって、光学素子の焦点距離を調整できることであると理解することができる。
【００１０】
「光学活性領域」とは、その上に光が入射し、かつ操作し得る領域であると理解することができる。光学レンズに対して、光学活性領域は、光学アパーチャに対応しても（例えば、同一であっても）よい。ミラーなどの反射素子の場合、光学活性領域は、（例えば、光学レンズのためのアパーチャと同様に）その上に光が入射し、かつ操作された光がそこから反射され得る反射領域であり得る。
【００１１】
「光軸」は、当技術分野において一般的に理解されており、また、例えば、レンズ本体及びカバー部材を通過するなど、カバー部材と交差すると理解されている（また、光学素子が光学レンズである場合、光軸はレンズ本体と交差するとも理解される）。本明細書では、１以上の圧電アクチュエータは、例えば、光学アパーチャなどの光学活性領域を、完全に取り囲むか又は囲むなど、取り囲むか又は囲むように１以上の圧電アクチュエータが配置されるなどして、例えば、（光学素子が光学レンズである場合）屈曲可能な（透明）カバー部材上の少なくとも１の変形可能なレンズ本体の光学アパーチャなどの光学活性領域を定義し得る。
【００１２】
「圧電アクチュエータ」は、当技術分野で知られており、本明細書では、例えば、圧電材（例えば、圧電活性層などの圧電活性材）の両側（例えば、上方及び下方）に電極（例えば、白金）層が存在するか、又は圧電材のいずれかの側のみ（例えば、上方又は下方）に、その全体内容が参照により本明細書に取り込まれるＷＯ２０１４／０４８８１８Ａ１に記載のくし型電極などのくし型電極を含む電極層が存在するような様々な構成の電極層を含むと理解される。圧電材は、公知の技術（例えば、スパッタ法、ゾルゲル法、又は任意の他の方法）により、任意の標準タイプの圧電材で作製することができる。上部電極及び下部電極は、圧電フィルム堆積の技術と適合する任意の金属、例えばＰｔ又はＡｕで作製することができる。他の任意の実施形態と組み合わせることができる実施形態において、１以上の圧電アクチュエータは、例えば、光軸を完全に囲む１の圧電アクチュエータ、光軸を完全に囲む１及ぶ１のみのコヒーレント圧電アクチュエータ、光軸を完全に囲む１のみの圧電アクチュエータなどの、少なくとも１の圧電アクチュエータである。「コヒーレント」とは、例えば、互いに分離されていない部分のみを含む１の素子などの１の連続素子のような、１の素子と理解される。さらに、コヒーレント素子は、中央の貫通孔の周りに閉じた線を形成し、例えば、前記中央の孔は、光軸と交差し、例えば、光軸に平行である線を、圧電アクチュエータと交差させることなく光軸の位置から圧電アクチュエータの外側に移動させることができない。
【００１３】
一実施形態において光学素子が開示され、ここで、１以上の圧電アクチュエータが、光軸を囲む１の圧電アクチュエータ含み、例えば、光学アパーチャを定義し、例えば、圧電アクチュエータの光軸に面する（１の圧電アクチュエータの光軸に面する縁に対応する）内縁は、例えば、光軸を中心とする円を形成する。一実施形態において、１以上の圧電アクチュエータが、光軸を囲む１の圧電アクチュエータ含み、圧電アクチュエータの光軸に面する（１の圧電アクチュエータの光軸に面する縁に対応する）内縁は、光軸を中心とする円を形成する。一実施形態において、光軸と交差する貫通孔を有する光学素子が開示され、例えば、前記貫通孔は光軸を中心とする円形などの円形である。
【００１４】
「前記屈曲可能なカバー部材を所望の形状に成形するように配置されている」とは、カバー部材に関連するアクチュエータの形状、サイズ及び位置が、電極間の印加電圧などの駆動時にそれらを変形させ、それによって前記屈曲可能なカバー部材を所望の形状に成形することを可能にすることであると理解することができる。カバー部材の少なくとも一部分が、光学アパーチャなどの光学活性領域内にあり、例えば、光軸と交差するカバー部材の一部分が所望の形状に成形されていると理解することができる。
【００１５】
「所望の形状」とは、ある形状から所望の形状へ（例えば、１の所望の形状から他の所望の形状へ）進む場合、その後光学素子の焦点距離が変化し得ることであると理解することができる。
【００１６】
１以上の圧電アクチュエータは、支持構造に対してカバー部材の反対側に位置する。
【００１７】
側壁の内縁を通って光軸に平行に引かれた仮想直線が、側壁の内縁に沿った１以上の点で、１以上の圧電アクチュエータと交差するか又は接するように配置された１以上の圧電アクチュエータを有することによって、１以上の圧電アクチュエータが片持ち梁の原理を利用し、それによってアクチュエータが存在しない、例えば光学アパーチャなどの光学活性領域においても（カバー部材の）最大曲率半径を増幅させることができる。
【００１８】
「光軸に平行な方向から観察したときの１以上の圧電アクチュエータの外縁」とは、上方から観察したときの１以上の圧電アクチュエータに対する外縁に沿った線と理解することができる。１以上の圧電アクチュエータが、光軸を完全に囲む閉じた線又は閉構造（「閉じた線」を「閉構造」に置き換えることができることを理解することができる。ここで、閉構造は有限の幅を有することが理解される）を形成する場合、外縁は、光軸とは反対側に面する１以上の圧電アクチュエータの縁（外縁は、光軸を囲む１の圧電アクチュエータなどの１以上の圧電アクチュエータの外縁であり、その縁は光軸とは反対側に面すると理解される）に対応する閉じた線であり得る。１以上の圧電アクチュエータが、光学活性領域を完全には囲まない１以上の圧電アクチュエータを含む場合、外縁は、光学活性領域を完全には囲まない１以上の圧電アクチュエータの縁として見なすことができる。２以上の圧電アクチュエータが存在する場合、少なくとも１の外縁が外縁として選択され得る（例えば、（圧電アクチュエータのうちの１に対応する）少なくとも１の外縁が、特許請求の範囲に記載の特徴を満たす）ことを理解することができる。具体的な実施形態において、アクチュエータは、１のみの圧電アクチュエータである。
【００１９】
閉じた線を形成する１以上の圧電アクチュエータを有することで得られる利点は、それが簡単な解決策をもたらすにも関わらず、低全波面誤差を可能にすることである。
【００２０】
「光軸と平行な方向から観察したときの支持構造と屈曲可能なカバー部材との間の界面における支持構造の内縁」とは、上方から観察したときの支持構造の内縁（光軸に面する縁など）に沿った線であると理解することができる。この線は、支持構造と屈曲可能なカバー部材との間の界面に存在すると定義される。
【００２１】
「光軸と平行な方向から観察したときに第１線及び第２線が、
２以上の位置で互いに交差し、及び／又は
１以上の位置で平行でありかつ一致する」ように第１線及び第２線を配置することで、
光学レンズの全波面誤差ＷＦＥＲＭＳを減少させることができることが有利であると考えられる。１以上の圧電アクチュエータに印加される電圧の範囲にわたって、最低平均全波面誤差ＷＦＥＲＭＳなどの最低全波面誤差ＷＦＥＲＭＳを達成することが可能になり得るので、第１及び第２線が互いに交差することが特に有利である。「平行でありかつ一致する」とは、平行でありかつ一致するなど、実質的に平行でありかつ実質的に一致することであると理解することができる。「一致する」とは、第１線と第２線との間の距離が実質的にゼロ又は実質的にゼロマイクロメートルであるなど、第２線が第１線から例えば１０マイクロメートル以内、５マイクロメートル以内、２マイクロメートル以内、１マイクロメートル以内、０．１マイクロメートル以内など、２０マイクロメートル以内に存在することを意味し得る。「位置」とは、一組の座標（例えば、第１及び第２線が平行でありかつ一致する線）、又は座標、又は点（例えば、第１及び第２線が平行でありかつ一致する点、又は第１及び第２線が互いに交差する点）であると理解することができる。一般に、「位置」は、例えば、０次接触、１次接触、２次接触、３次接触、４次接触のうちのいずれか１などの、第１曲線と第２曲線との間の接点又は接線であり得ると理解することができる。ここで、点ｐで交差する平面内の２の曲線は、単純な交差（正接ではない）の場合は０次接触、２の曲線が正接である場合は１次接触、曲線の曲率が等しい場合は２次接触を有していると言われる。このような曲線は、接触していると言われ、曲率の導関数が等しい場合は３次接触、曲率の２次導関数が等しい場合は４次接触と言われる。具体的な実施形態において、「一致しておりかつ平行である」は、「正接」を意味すると理解される。
【００２２】
一般に、この出願内で光学特性を参照する場合、光学特性（透過率、不透明度、透明度、反射率など）は、（光学レンズのための）光学アパーチャを通過するなど、光軸に対して入射角（ＡＯＩ）内で進行する光、又は（反射素子のための）光学活性領域で反射される光に適用されると理解することができ、ここで、入射角は、光軸に対して０〜６５°、例えば０〜４０°など（０°など）の範囲内にある。光学特性は、可視領域内の任意の波長、例えば６３０ｎｍなどの特定の波長での光学特性であり、及び／又は例えば、０°などの特定の入射角での光学特徴であり、例えば、６３０ｎｍの波長及び０°の入射角における光学特性であると理解することができる。
【００２３】
光学特性の「平均」を参照する場合、波長範囲と光軸に対する入射角（ＡＯＩ）内の前記特性の二重平均として理解される。ここで、波長範囲は１０ｎｍ〜１ｍｍの範囲内であり、例えば、波長範囲は、以下の１以上あるいは全てに対応する：
−１０〜３８０ｎｍなどの紫外（ＵＶ）領域
−  ３８０〜７６０ｎｍなどの可視（ＶＩＳ）領域（人間が「光」として認識するか又は見える）
−  ７６０〜２，５００ｎｍなどの近赤外（ｎＩＲ）領域
−２．５０〜１０マイクロメートルなどの中赤外（ｍＩＲ）領域
−  １０マイクロメートル〜１ｍｍなどの遠赤外（ｆＩＲ）領域
ここで、ＡＯＩは０〜６５°であり、例えば、０〜４０°である。
【００２４】
「光学」は「光」に関連すると理解されるべきであり、「光」は、可視領域内など、ＵＶ、可視、ｎＩＲ、ｍＩＲ及びｆＩＲに対応する１以上又はすべての領域内の電磁放射であると理解される。
【００２５】
「不透明」とは、不透明材料を通過する光に対する（波長範囲内及び入射角範囲内の）平均透過率が１０％以下であり、例えば、１％以下、０．１％以下であると理解することができる。
【００２６】
「透明」に関する言及は、一般に光に関する言及と理解される。すなわち、材料を通過するときに、例えば、平均１０％以下、平均５％以下の損失など、強度の損失がほぼないか又はまったくなく、光は透明なオブジェクトを通過することができる（それぞれ平均透過率９０％及び９５％に対応）。
【００２７】
鏡面透過率又は通常の透過率などの「透過率」は、光学レンズなどの光学素子に関する透過率の本文脈においては、
−  光学レンズに入射する光、及び
−  光学レンズを透過し、他側で鏡面反射された（通常）透過光として放出される、光学レンズに入射する光の一部の
間の（波長範囲内及び入射角範囲内の）平均比であると理解される。
【００２８】
「側壁」とは、光学アパーチャなどの光学活性領域のすぐ外側又は近くの領域で、屈曲可能なカバー部材を支持するなど、屈曲可能なカバー部材を少なくとも部分的に支持する支持素子であると理解することができる。
【００２９】
屈曲可能なカバー部材は、光軸に沿った方向において支持構造（及び／又は存在する場合はレンズ本体）に対して薄いなど、比較的薄くてもよく、例えば、０．７５ｍｍ未満、０．５ｍｍ未満、［１０；４０］マイクロメートル（すなわち、１０〜４０マイクロメートル以内）などのように、１ｍｍ未満である。それは、任意の標準的な種類のガラスなどの任意の種類のガラス、又は例えば、いわゆるカバーガラス、又はカバーガラスと同様の、セラミックガラス、ポリマー、無機ポリマーハイブリッドなどの他の材料で作製されてもよい。これらの材料は、特に屈曲可能なカバー部材が透明であるべきである実施形態において関連する。「屈曲可能」とは、屈曲可能なカバー部材などの素子が、１以上の圧電アクチュエータによって曲げられ得る、すなわち、１以上の圧電アクチュエータの駆動が素子を曲げ得ることであると理解することができる。「屈曲可能なカバー部材」は、「カバー部材」と同義的に呼ばれることがある。
【００３０】
一実施形態において、光学素子が開示され、ここで、前記光学素子は、以下を含む：
−  側壁を有する支持構造、
−  以下に取り付けられた屈曲可能なカバー部材、
〇  前記側壁、
−  前記屈曲可能なカバー部材を所望の形状に成形するように配置された１以上の圧電アクチュエータ、ここで、前記１以上の圧電アクチュエータは、圧電材と、前記圧電材の上方及び／又は下方の電極層と、を含む、
ここで、前記光学素子は、光軸を有する光学活性領域を含み、ここで、
−  前記１以上の圧電アクチュエータは、前記光軸を完全に囲む閉じた線を形成し、前記光軸に平行な方向から観察したときの前記１以上の圧電アクチュエータの外縁は、第１線を定義し、前記外縁は、前記光軸とは反対側に面する前記１以上の圧電アクチュエータの前記縁に対応する閉じた線であり、
−  前記支持構造と前記屈曲可能なカバー部材との間の界面における、前記光軸に平行な方向から観察したときの、前記支持構造の前記側壁などの前記支持構造の内縁は、第２線を定義し、
ここで、前記光軸に平行な方向から観察したときの前記第１線及び前記第２線は、
−  例えば、２、３、４、８、１６、３２又はそれ以上の位置で互いに交差し、及び／又は
−  例えば、残りの第１線（例えば、第２線と平行でなく一致しない第１線の部分）が第２線で囲まれた領域の内側又は外側にある場合、１以上の位置、例えば、１、２、３、４、８、１６、３２又はそれ以上の位置で平行でありかつ一致する。
【００３１】
「上方」及び「下方」は、光軸に平行な方向を表し、上方は支持構造からカバー部材への正方向であり、下方は支持構造からカバー部材への負方向である。１以上の圧電アクチュエータは、他の場所、例えば、光軸と平行な線が圧電材料と交差しない位置に配置された電極材料を含まないことであると理解することができる。
【００３２】
一実施形態において光学素子が開示され、ここで、上方及び下方は前記光軸に平行な方向を表し、上方は前記支持構造から前記カバー部材への正方向であり、下方は前記支持構造から前記カバー部材への負方向である。
【００３３】
一実施形態において光学素子が開示され、ここで、前記１以上の圧電アクチュエータに含まれる、前記圧電材の上方及び／又は下方の前記電極層の１以上の部分は、前記光軸に平行な線と交差する１以上の部分であり、該線も圧電材と交差する。
【００３４】
一実施形態において光学素子が開示され、ここで、１以上の圧電アクチュエータの、光軸と平行な方向から観察したときの１以上の領域は、光軸と平行な線で交差する１以上の領域であり、該線は、圧電材、及び圧電材の上方及び／又は下方の電極層と交差する。
【００３５】
一実施形態において、光学素子が開示され、ここで、前記光学素子は、以下を含む：
ａ．圧電活性層の下方の電極層などの下部電極（１０３）、
ｂ．圧電活性層（１０４）形態の圧電材、及び
ｃ．圧電活性層の上方の電極層などの上部電極（１０５）を含み、
ここで、前記光軸（１１０、５１０）に平行な方向から観察したときの前記１以上の圧電アクチュエータの位置は、前記下部電極（１０３）、前記圧電活性層（１０４）、及び前記上部電極（１０５）の全てが重なる位置によって与えられる。なお、これらの位置でのみ前記圧電活性層を駆動させることができる。
【００３６】
一実施形態において光学素子が開示され、ここで、前記第２線は丸い角を有しない正方形又は丸い角を有しない長方形を定義する。一実施形態において光学素子が開示され、前記第２線は丸い角を有する長方形又はスーパー楕円を定義する。
【００３７】
一実施形態において光学素子が開示され、ここで、前記第２線は丸い角を有する正方形を定義する。一実施形態において光学素子が開示され、前記第２線は丸い角を有する長方形を定義する。一実施形態において光学素子が開示され、前記第２線はスーパー楕円を定義する。
【００３８】
一実施形態において光学素子が開示され、ここで、第２線は非円形である。
【００３９】
一実施形態において光学素子が開示され、ここで、第１線は円形状に丸い角を有する正方形などのような、丸い角を有する正方形である。
【００４０】
一実施形態において光学素子が開示され、ここで、第１線は円形などのような、実質的に円形である。
【００４１】
一実施形態において、光学素子が開示され、ここで、前記光学素子は、以下含む屈折レンズである：
−  前記支持構造の前記側壁によって囲まれた少なくとも１の変形可能な透明レンズ本体、
ここで、前記屈曲可能なカバー部材は、以下に取り付けられた屈曲可能な透明カバー部材である。
〇  前記少なくとも１の変形可能な透明レンズ本体の表面
【００４２】
一実施形態において、液体を含まない光学素子が開示される。一実施形態において、固体又は気体素子からなるような、固体又は気体である光学素子が開示される。一実施形態において、固体素子からなるような固体である光学素子が開示される。
【００４３】
「屈折レンズ」は当技術分野において公知であり、それに基づいて理解される。屈折レンズの利点は、それらがメンテナンスをあまり必要とせず、一般に反射素子と同程度のコリメーション又はリコートを必要としないことである。
【００４４】
光学レンズは、一般にマイクロレンズであり得る。「マイクロレンズ」とは、一般に、厚さなどの少なくとも１の構造部品の寸法が１マイクロメートルから１ミリメートルの範囲内であるレンズであると理解することができる。本出願において、厚さに関する言及は、（光学的厚さとは対照的に）幾何学的厚さに関する言及である。一実施形態では、厚さは、支持構造（例えば、シリコン）の合計とすることができ、それは２００〜８００マイクロメートルとすることができ、カバー部材及び１以上の圧電アクチュエータは、約２２マイクロメートルであり得る電気接点を含む。光学レンズは、ノルウェーのｐｏＬｉｇｈｔ社から入手可能なＴＬｅｎｓ（登録商標）として知られる調整可能なマイクロレンズであり得る。光学レンズは、特に、発明の名称が「焦点距離が可変の可撓性レンズ組立体」であるＷＯ２００８１００１５４（Ａ１）に開示された調節可能なマイクロレンズに対応する調節可能なマイクロレンズであってもよく、その出願は参照により全体が本明細書に取り込まれる。さらに、引用文献ＷＯ２００８１００１５４（Ａ１）に関して、特定の寸法はマイクロメートルからミリメートルに変換でき、特に、図面１／５頁のｄ１ＰＺＴ、ｄ２ＰＺＴ及びｗｐｏｌ．（例えば、図１ｃ、サブ図Ｉを参照）で示される寸法は、μｍ（マイクロメートル）の代わりにｍｍ（ミリメートル）の単位で与えられても、実際には数値的に同じ値を有することに留意されたい。より具体的には、
ｄ１ＰＺＴ＝４ｍｍ、ｄ２ＰＺＴ＝１．５ｍｍ、及びｗｐｏｌ．＝４．５ｍｍである。
【００４５】
例えば、光学特性（例えば、反射防止コーティングを形成する層）を改善する目的、及び／又は水分（例えば、湿度バリアを形成する層）などに対する耐性を改善する目的のために、追加的な層を追加（例えば、上部に追加）してもよい。選択的にそのような追加的な層を有する光学素子は、発明の名称が「圧電駆動式光学レンズ」であるＷＯ２０１６００９０７９（Ａ１）に記載されたものであってもよく、その出願は参照により全体が本明細書に取り込まれる。
【００４６】
応力及び熱補償を提供し、光学要素の機械的強度と曲率を調整する目的などのために、構造要素を追加してもよい。選択的にそのような構造要素を有する光学素子は、「可変構造エレメントを有する調整可能なマイクロレンズ」であるＷＯ２０１６００９０７８（Ａ１）に記載されたものであってもよく、その出願は参照により全体が本明細書に取り込まれる。
【００４７】
「アパーチャ」は、「光学アパーチャ」と交換可能に使用され、当技術分野で一般的に知られており、特に可視光に対して光学的に透明なアパーチャとして理解されるべきである。さらに、アパーチャは一般に光学機器に入ることができる光の量を制限する開口部であると理解されるため、光学的に透明な「アパーチャ」は、不透明な材料（不透明な圧電アクチュエータなど）によって境界を定められていると理解される。
【００４８】
一実施形態において光学レンズが開示され、ここで、前記記光学レンズは、９５％以上、例えば９８％以上、９９％以上の（波長範囲内及び入射角範囲内の）平均透過率を有する。これの利点は、光学デバイス素子を通過する際に失われる光が少なくなるように促進することである。一般的な実施形態において、前記光学レンズは、例えば、９２％以上、９３％以上、９４％以上など、９０％以上の平均透過率を有する。
【００４９】
一実施形態において、光学レンズが提供され、ここで、
−  前記光学レンズは、９５％以上、例えば９８％以上の（波長範囲内及び入射角範囲内の）平均透過率を有し、
−  可視範囲にわたる最小透過率は、（例えば、任意の可視波長において）９４％以上であり、及び／又は
−  可視範囲にわたる（波長範囲が任意の可視波長に限定されるような）平均反射率は２．５％以下、例えば１％以下である。
【００５０】
一実施形態において光学素子が開示され、ここで、前記光学素子は反射素子であり、前記屈曲可能なカバー部材は、前記支持構造とは反対側に面する側及び／又は前記支持構造に面する側が反射性である。
【００５１】
「反射素子」とは、鏡などの入射電磁放射を反射する素子であると理解することができる。「反射」とは、（波長範囲内及び入射角範囲内の）平均反射率が少なくとも９０％、例えば少なくとも９５％、少なくとも９９％、少なくとも９９．９％などであると理解することができる。反射素子の利点は、それらが屈折光学素子と比較して収差をあまり受けないことである。反射素子の他の利点は、それらが屈折光学部品よりも比較的軽量であることができることである。
【００５２】
一実施形態において光学素子が開示され、ここで、前記１以上の圧電アクチュエータに印加される４０ボルトの範囲全体（例えば、０〜４０ボルト）、例えば、１００ボルトの範囲（例えば、０〜１００ボルト）にわたる全波面誤差（ＷＦＥＲＭＳ）は６０ｎｍ以下であり、例えば、５０ｎｍ、４０ｎｍ、３０ｎｍ、２５ｎｍ、２０ｎｍなどである。他のパラメータの範囲全体で閾値よりも低い全ＷＦＥＲＭＳを有することにより、全ＷＦＥＲＭＳは、所与の範囲内の他のパラメータの任意の値の閾値よりも低いことを理解することができる。この実施形態から得られる利点は、焦点距離の範囲全体にわたって改善された画質が達成され得ることである。
【００５３】
「全波面誤差（ＷＦＥＲＭＳ）」とは、全二乗平均平方根（ＲＭＳ）波面誤差（ＷＦＥＲＭＳ）と理解され、これは当技術分野で一般に知られており、それに基づいて理解される。
【００５４】
全波面誤差（ＷＦＥ）は、所与の共役（物点及び像点）に対して定義される。
【００５５】
波面誤差は、光線の各点に対して定義される。これは、実際の（収差のある）波面と完全な球面波面との間の光路差である。これは、通常、ナノメートル（ｎｍ）又はマイクロメートル（μｍ）で表される距離である。
【００５６】
全ＷＦＥＲＭＳは、所与の共役（物点及び像点）に対して定義される。これは、計算される表面上の光線の断面にわたる全ＷＦＥの二乗平均であり、以下の式のように説明される。
【数１】
2020510245.tif 000003
積分は、システムの出力瞳の断面の領域Ａにわたって行われる。全ＷＦＥＲＭＳは、単一の値である。これは、通常、ナノメートル（ｎｍ）又はマイクロメートル（μｍ）で表される距離である。
【００５７】
全ＷＦＥＲＭＳの測定は、Ｉｍａｇｉｎｅ  Ｏｐｔｉｃ社（フランスオルセーに本社）のＨＡＳＯＴＭなどのシャックハルトマンセンサを有する波面測定システムを用いて実行することができる。
【００５８】
一実施形態において光学素子が開示され、ここで、５ジオプトリの範囲全体、例えば、１０ジオプトリの範囲全体、１３ジオプトリの範囲全体（例えば、［−３；＋１０］ジオプトリ）、２８ジオプトリの範囲全体、３０ジオプトリの範囲全体（例えば、［−４；＋２６］ジオプトリ）、５４ジオプトリの範囲全体（例えば、［−４；＋５０］ジオプトリ）などにわたって、全波面誤差（ＷＦＥＲＭＳ）は６０ｎｍ以下であり、例えば、５０ｎｍ、４０ｎｍ、３０ｎｍ、２５ｎｍ、２０ｎｍなどである。この実施形態から得られる利点は、焦点距離の範囲全体にわたって改善された画質が達成され得ることである。
【００５９】
一実施形態において光学素子が開示され、ここで、［１／ｘ；１／（ｘ＋５メートル）］の焦点距離の範囲全体、例えば、［１／ｘ；１／（ｘ＋１０メートル）］の焦点距離の範囲全体、［１／ｘ；１／（ｘ＋１３メートル）］の焦点距離の範囲全体、［−１／３メートル−１；＋１／１０メートル−１］の焦点距離の範囲全体、［−１／４メートル−１；＋１／２６メートル−１］の焦点距離の範囲全体、［−１／４メートル−１；＋１／５０メートル−１］の焦点距離の範囲全体などにわたって、全波面誤差（ＷＦＥＲＭＳ）は６０ｎｍ以下であり、例えば、５０ｎｍ、４０ｎｍ、３０ｎｍ、２５ｎｍ、２０ｎｍなどであり、ここで、ｘは任意に選択された長さである。実施形態において、ｘは−３ｍ又は０ｍであり得る。
【００６０】
一実施形態において光学素子が開示され、ここで、光学活性領域は、光学アパーチャに対応し（例えば同一）、ここで、例えば、光学素子は光学レンズであり、屈曲可能なカバー部材上の少なくとも１の変形可能なレンズ本体の光学アパーチャが１以上の圧電アクチュエータに囲まれているなど、１以上の圧電アクチュエータが光学活性領域を定義する。
【００６１】
一実施形態において光学素子が開示され、ここで、前記屈曲可能なカバー部材（１０２、５０２、７０２）は、例えば、任意の種類のガラス、ヤング率が２０〜６０ＧＰａのガラスなどのガラスである。
【００６２】
一実施形態において光学素子が開示され、ここで、全波面誤差（ＷＦＥＲＭＳ）は、６３０ｎｍの波長及び０°の入射角などのような、６３０ｎｍで測定される。
【００６３】
一実施形態において、光学素子が開示され、ここで、
−  例えば、第１線が、第２線の完全に内側にあるか、又は第２線の外側にあるなど、第１及び第２線が交差しないか、又は１以上の位置で平行でありかつ一致する、対応する光学素子のための１以上の圧電アクチュエータに印加される４０ボルトの範囲全体（例えば、０〜４０ボルト）、例えば、１００ボルトの範囲（例えば、０〜１００ボルト）にわたる最大全波面誤差（ＷＦＥＲＭＳ）は、
−  前記光軸に平行な方向から観察したときの前記第１線及び前記第２線が、
〇  ２以上の位置で互いに交差し、及び／又は
〇  １以上の位置で平行でありかつ一致する前記光学素子のための前記１以上の圧電アクチュエータに印加される４０ボルトの範囲全体（例えば、０〜４０ボルト）、例えば、１００ボルトの範囲（例えば、０〜１００ボルト）にわたる最大全波面誤差（ＷＦＥＲＭＳ）より、
少なくとも１０％、例えば、２０％、３０％、４０％、５０％、１００％、２５０％だけ大きい。
この実施形態によれば、光学レンズ（光軸と平行な方向から観察したときの第１線及び第２線は、互いに交差し、及び／又は少なくとも１の位置で平行でありかつ一致する）が提供され、該光学レンズは、第１及び第２の線が少なくとも１の位置で交差しないか、又は平行でありかつ一致することを除いて同様の類似する光学レンズ（対応する光学レンズと呼ばれる）よりも低い総ＷＦＥＲＭＳを有する。したがって、この実施形態によれば、光学レンズは、１以上の圧電アクチュエータの配置が全ＷＦＥＲＭＳに対して相違を生じるように配置される。また、１以上の圧電アクチュエータは、光軸と平行な方向から観察したときの第１線及び第２線が互いに交差し、及び／又は少なくとも１の位置で平行でありかつ一致するように配置され、それによってＷＦＥＲＭＳが減少する。
【００６４】
一実施形態において光学素子が開示され、ここで、支持構造の内縁は、外接する長方形又は正方形の最小辺長が、２．５ｍｍ以上、例えば、２．８ｍｍ以上、３．０ｍｍ以上、３．５ｍｍ以上、３．８ｍｍ以上、４．０ｍｍ以上、４．５ｍｍ以上、５ｍｍ、１０ｍｍなどになるように開口部を定義する。「支持構造の内縁」とは、支持構造と屈曲可能なカバー部材との間の界面での支持構造の内縁であると理解することができる。支持構造の内縁と外接する長方形の両方が、光軸に直交する平面で観察されることであると理解することができる。
【００６５】
一実施形態において光学素子が開示され、ここで、前記光学素子の厚さは、１ｍｍ以下、例えば、７００マイクロメートル以下、５００マイクロメートル以下、４５０マイクロメートル以下、４２５マイクロメートル以下、４００マイクロメートルなどである。薄い厚さを有することで得られる利点は、垂直フットプリントが非常に小さい光学レンズが可能になるということである。この小さい垂直フットプリントにより、選択的に、現在実現可能なものよりも小さな垂直フットプリントを有する、カメラなどのより薄い光学デバイスを携帯電話などのより薄い装置に統合し得る。「光学レンズの厚さ」とは、光軸に平行な方向の光学長の寸法（光軸に対して直交し、光学レンズの両側に配置される２の平面間の距離など）と理解することができる。一実施形態において、光学レンズである光学素子が開示され、ここで、前記厚みは、以下の距離に対応する。
光軸に直交し、以下を含む平面から
−  以下のいずれかの、カバー部材から最も離れている点（前記点は、圧電アクチュエータに対してカバー部材の反対側にある）
〇  支持構造上の、カバー部材から最も離れている点、又は
〇  レンズ本体（又はレンズ本体の後窓）の、カバー部材から最も離れている点
光軸に直交し、以下を含む平面までの距離
−  １以上の圧電アクチュエータ（選択的に電気接点素子を含む）上の、カバー部材から最も離れている点
【００６６】
一実施形態において光学素子が開示され、ここで、支持構造の内縁は、外接する正方形又は外接する長方形が提供され得る開口部を定義し、光軸に平行な方向から観察したときの第１線及び第２線は、以下の位置において交差し、又は平行でありかつ一致する。
ａ．外接する正方形又は外接する長方形の最も近い辺の中心
から
ｂ．外接する正方形又は外接する長方形の最も近い辺への前記位置への投影
までの距離が、
外接する正方形又は外接する長方形の辺長の半分の［１０；９０］％の範囲内、例えば、外接する正方形又は外接する長方形の辺長の半分の［１５；８５］％の範囲内、［２０；８０］％の範囲内、［２５；７５］％の範囲内、［３０；７０］％の範囲内、［４０；６０］％の範囲内、［４５；６０］％の範囲内、［５０；５５］％の範囲内などである位置。この実施形態により得られる利点は、光学レンズのジオプトリの範囲全体にわたって、例えば、特定の平均全ＷＦＥＲＭＳ、比較的小さい（又は最も小さい）特定の平均全ＷＦＥＲＭＳ（前記距離が前記範囲外にある対応する光学要素の場合、「比較的」は全ＷＦＥＲＭＳに関する場合など）などの、特定の平均全ＷＦＥＲＭＳを達成することである。
【００６７】
一実施形態において光学素子が開示され、ここで、１以上の圧電アクチュエータは、例えば光学活性領域を取り囲むか又は囲むように配置されるなど、光学活性領域を定義する。一実施形態において、光学レンズである光学素子が開示され、光軸は変形可能な透明レンズ本体及びカバー部材と交差する。一実施形態において、光学レンズである光学素子が開示され、前記少なくとも１の変形可能な透明レンズ本体は、例えば、固体ポリマーからなる変形可能な透明レンズ本体など、固体ポリマーなどのポリマーを含む。前記少なくとも１の変形可能な透明レンズ本体が、固体ポリマーなどのポリマーを含むことは、前記少なくとも１の変形可能な透明レンズ本体が少なくとも１０ｗｔ％（重量パーセント）、例えば、少なくとも２５ｗｔ％、少なくとも５０ｗｔ％、少なくとも７５ｗｔ％の固体ポリマーを含むことであると理解することができる。一実施形態において、光学レンズである光学素子が開示され、前記少なくとも１の変形可能な透明レンズ本体は、架橋又は部分架橋ポリマーのポリマーネットワークと混和性オイル又はオイルの組み合わせとを含む。一実施形態において、光学レンズである光学素子が開示され、前記少なくとも１の変形可能な透明レンズ本体は、３００Ｐａより大きい弾性率、１．３５を超える屈折率、及び厚さ１ミリメートル当たり１０％より小さい可視範囲における吸光度を有していてもよい。
【００６８】
一実施形態において光学素子が提供され、ここで、光学アパーチャなどの光学活性領域の直径は、１０ｍｍ以下、例えば、７．５ｍｍ以下、５ｍｍ以下（［０．５；４．０］ｍｍなど）、２．５ｍｍ以下（［２．０〜２．４］ｍｍなど）、１．９ｍｍ以下、１．５５ｍｍ以下、１ｍｍ以下などである。直径が小さいことにより得られる利点は、最終アプリケーションデバイス（カメラなど）の非常に小さな領域を使用し、及び／又は小さいサイズが、追加機能（３Ｄイメージングなど）のために複数の位置に設置できるようにする光学レンズを提供することができることである。
【００６９】
一実施形態において光学素子が開示され、ここで、前記光学活性領域の直径は、１ｍｍ以上、例えば、１．５５ｍｍ以上、１．９ｍｍ以上、２ｍｍ以上、２．５ｍｍ以上などである。大きい直径を有することで得られる利点は、それによって大量の光を提供することを可能にすることである。
【００７０】
一実施形態において光学素子が開示され、ここで、前記１以上の圧電アクチュエータ及び前記屈曲可能なカバー部材は、例えば、５ジオプトリの範囲全体、１０ジオプトリの範囲全体、１３ジオプトリの範囲全体（例えば、［−３；＋１０］ジオプトリの範囲全体）、２８ジオプトリの範囲全体、３０ジオプトリの範囲全体（例えば、［−４；＋２６］ジオプトリ）、５４ジオプトリの範囲全体（例えば、［−４；＋５０］ジオプトリ）などにわたって、前記１以上の圧電アクチュエータが駆動時に前記屈曲可能なカバー部材を直接変形させるように配置される。「直接」とは、例えば、１以上のアクチュエータが屈曲可能なカバー部材に対して配置されているため、屈曲可能なカバー部材の変形が非圧縮要素（流体など）などの第３の要素に依存しないことであると理解することができ、例えば、ＵＳ２０１０／１８２７０３Ａ１を引用することができ、その全体が参照により本明細書に組み込まれる。
【００７１】
一実施形態において光学素子が開示され、ここで、屈曲可能なカバー部材が側壁の内縁を越えて延びる。光学素子が光学レンズである場合、側壁の内縁は、変形可能なレンズ本体に面する側壁の表面などの側壁の表面に対応することを理解されたい。言い換えれば、屈曲可能なカバー部材は、光軸（及び選択的に、変形可能なレンズ本体）に面する側壁の表面など、側壁の表面よりも光軸からさらに離れて延びる。これによって得られる利点は、１以上の圧電アクチュエータが片持ち梁の原理を利用し、それによってアクチュエータが存在しない、例えばアパーチャなどの光学活性領域においても最大曲率半径を増幅させることができるように、１以上の圧電アクチュエータを配置することが可能になることである。
【００７２】
一実施形態において光学素子が開示され、ここで、屈曲可能なカバー部材は、少なくとも１０ＧＰａ、例えば１０〜１００ＧＰａ、２０〜６０ＧＰａのヤング率を有する材料からなるなど、それを含む。これの利点は、１以上の圧電アクチュエータがアパーチャなどの光学活性領域を定義することを可能にするか、又は促進する一方で、１以上の圧電アクチュエータを有するアパーチャ（圧電アクチュエータは存在しないが）などの光学活性領域でカバー部材を成形することが可能なことである。
【００７３】
屈曲可能なカバー部材は、（光学要素が光学レンズである場合）屈曲可能な透明カバー部材であってもよく、より具体的には、以下の通りであってもよい。
−  光の透過率が９８％以上であり、及び／又は
−  応力が２０Ｍｐａ以下である。
これは、例えば、屈曲可能な透明カバー部材がガラスで作製されている場合に実現され得る。
【００７４】
一実施形態において光学素子が開示され、ここで、１以上の圧電アクチュエータが以下の材料を含む
−  横方向のピエゾ係数（│ｄ３１│）が、数値的に２０ｐＣ／Ｎ以上であり、例えば好ましくは数値的に５０ｐＣ／Ｎ以上であり、例えば好ましくは数値的に１００ｐＣ／Ｎ以上であり、例えば負でありかつ数値的に１００ｐＣ／Ｎ以上であり、例えば好ましくは２００ｐＣ／Ｎ以上であり、
及び／又は
−  縦方向のピエゾ係数（│ｄ３３│）が、数値的に２０ｐＣ／Ｎ以上であり、例えば好ましくは数値的に５０ｐＣ／Ｎ以上であり、例えば数値的に１００ｐＣ／Ｎ以上であり、例えば正でありかつ数値的に１００ｐＣ／Ｎ以上であり、例えば＜２００ｐＣ／Ｎ以上である。
「数値的に」とは、絶対値、例えば、−２５０が範囲］−２５０；＋２５０［内のどの数値よりも数値的に大きいことであると理解される。一実施形態において、材料は、チタン酸ジルコン酸鉛（ＰＺＴ）などの強誘電性材料であるように選択される。これの利点は、この材料の大きな圧電駆動効果である。
【００７５】
一実施形態において光学レンズが開示され、ここで、１以上の圧電アクチュエータを駆動させることにより、倍率を、例えば、３ジオプトリ以上、４ジオプトリ以上、５ジオプトリ以上、６ジオプトリ以上、７．５ジオプトリ以上、１０ジオプトリ以上、１２．５ジオプトリ以上、１４ジオプトリ以上、１６ジオプトリ以上、２０ジオプトリ以上など、２ジオプトリを超える全範囲、例えば、［−１０；＋２０］ジオプトリの範囲全体、２８ジオプトリの範囲全体、３０ジオプトリ（［−４；＋２６］ジオプトリなど）の範囲全体、５４ジオプトリ（［−４；＋５０］ジオプトリ）の範囲全体にわたって、調整可能である。一般に、及ぶ範囲は、０ジオプトリの倍率、例えば、０〜５ジオプトリ、０〜６ジオプトリ以上、０〜７．５ジオプトリ以上、０〜１０ジオプトリ以上、０〜１２．５ジオプトリ以上、０〜１４ジオプトリ、０〜１６ジオプトリ、０〜２０ジオプトリ、例えば、２８ジオプトリの範囲全体、３０ジオプトリ（［−４；＋２６］ジオプトリなど）の範囲全体、５４ジオプトリ（［−４；＋５０］ジオプトリなど）の範囲全体にわたる倍率を含み得る。及ぶ範囲は、０ジオプトリの倍率及びゼロの両側の範囲、例えば、±２．５の範囲（すなわち、−２．５ジオプトリから＋２．５ジオプトリまで）、±６ジオプトリ以上、±７．５ジオプトリ以上、±１０ジオプトリ以上、±１２．５ジオプトリ以上、±１４ジオプトリ以上、±１６ジオプトリ以上、±２０ジオプトリ以上、［−４；＋２６］ジオプトリ、［−４；＋５０］ジオプトリなどの範囲を含み得る。
【００７６】
本発明の第２態様によれば、先行する請求項のいずれかに記載の光学素子を製造するための方法が開示され、前記方法は、以下を含む：
−  堆積によって前記屈曲可能なカバー部材の上に前記１以上の圧電アクチュエータを提供する。
この実施形態により得られる利点は、本発明の光学レンズが第１及び第２線の関係を採用し、この関係は、第２線の特定の形状を実施することで満たすことができ、この形状は、製造中に適切な蒸着マスク及び／又は適切なエッチングマスクを実施するだけで実現することができることである。
【００７７】
本発明の第３態様によれば、以下を含むカメラが提供される
ａ．第１態様による光学素子、又は
ｂ．第２態様によって製造された光学素子。
より一般的な実施形態においては、以下を含む光学デバイスが提供される
ａ．第１態様による光学素子、又は
ｂ．第２態様によって製造された光学素子、
ここで、前記光学デバイスは、スキャナー、カメラ、可変光学チューナー又は減衰器、虹彩、光学像安定化（ＯＩＳ）ユニット、ズームレンズ、広角レンズ、バーコードリーダー、内視鏡、プロジェクター、又は所望の効果（イメージングなど）を作るために光が編成されているデバイスからなる群から選択されるいずれかの光学デバイスであってもよい。
【００７８】
本発明の第４態様によると、以下の使用が提供される
ａ．第１態様による光学素子、又は
ｂ．第２態様によって製造された光学素子、
１以上の画像を取得するためのもの。
代替的な実施形態において、光学要素は、バーコード及び／又は網膜などの識別マークをスキャンするため、又は特定の波長の光を減衰させるために使用されてもよい。
【００７９】
本発明の第１、第２、第３及び第４の態様のそれぞれは、他のいずれかの態様と組み合わせることができる。本発明のこれら及び他の態様は、以下に記載される実施形態を参照して明白になりかつ説明されるであろう。
【図面の簡単な説明】
【００８０】
本発明による光学素子、方法、光学デバイス及び使用を添付の図面に関してさらに詳細に説明する。図面は、本発明を実施する一方法を示しており、添付の特許請求の範囲内に含まれる他の可能な実施形態に限定されるものとして解釈されるべきではない。
【００８１】
【図１】一実施形態による光学レンズの斜視図である。
【図２】複数の実施形態の概略上面図である。
【図３】複数の実施形態に関する全ＷＦＥＲＭＳを示すグラフである。
【図４】複数の実施形態に関するテトラフォイルＷＦＥを示すグラフである。
【図５】光学レンズを有する実施形態の側面図である。
【図６】光学レンズを有する実施形態の側面図である。
【図７】反射素子を有する実施形態の側面図である。
【図８】実施例Ａの概略上面図である。
【図９】寸法が付された実施例Ａの概略上面図である。
【図１０】実施形態Ｂの概略上面図である。
【図１１】寸法が付された実施形態Ｂの概略上面図である。
【図１２】実施形態Ｃの概略上面図である。
【図１３】寸法が付された実施形態Ｃの概略上面図である。
【図１４】実施形態Ｄの概略上面図である。
【図１５】寸法が付された実施形態Ｄの概略上面図である。
【図１６】実施例Ｅの概略上面図である。
【図１７】寸法が付された実施例Ｅの概略上面図である。
【図１８】実施形態Ｃの変形例の概略上面図である。
【図１９】実施形態Ｄの変形例の概略上面図である。
【図２０】実施形態Ｅの変形例の概略上面図である。
【図２１】複数の実施例及び実施形態（実施例Ａ及びＤ並びに実施形態Ｂ−Ｃ−Ｄ）に関する全ＷＦＥＲＭＳを示すグラフである。
【図２２】複数の実施例及び実施形態（実施例Ａ及びＤ並びに実施形態Ｂ−Ｃ−Ｄ）に関するテトラフォイルＷＦＥを示すグラフである。
【図２３】複数の実施例及び実施形態（実施例Ａ及びＤ並びに実施形態Ｂ−Ｃ−Ｄ）に関する屈折力を示すグラフである。
【発明を実施するための形態】
【００８２】
一般に、「上方」、又は「下方」、又は「上部」、又は「下部」という用語を使用する場合のように、方向が暗示される場合、正方向は、支持構造からカバー部材へ光軸に平行な方向に定義されるものと一般に理解される。例えば、カバー部材は、支持構造の上部など、支持構造の上方にある。
【００８３】
図１は、光学素子、より具体的には一実施形態による光学レンズの斜視図であり、より具体的には、２００〜８００マイクロメートルの範囲の厚さ１２２及び１００〜５００マイクロメートルの範囲の幅１２４を有する（光軸１１０に面する側壁１１２を有する）支持構造１０１、（本実施形態ではガラスである）屈曲可能な透明カバー部材１０２、（１以上の圧電アクチュエータのための）下部電極１０３、圧電活性材料１０４、（１以上の圧電アクチュエータのための）上部電極１０５である。上方（光軸に平行な方向）から観察したときの１以上の圧電アクチュエータの位置は、下部電極１０３、圧電活性層１０４、及び上部電極１０５の全てが重なる位置によって定義される位置であると理解することができる（なお、これらの位置でのみ圧電活性層を駆動させることができる）。この図はさらに、（本実施形態においてはポリマーである）変形可能な透明レンズ本体１０７、（レンズ本体１０７上に配置された）透明後窓１０６、支持構造１０１の内側のキャビティ１０８（このキャビティ１０８は、光軸１１０を含み、側壁１１２によって光軸１１０から離れる方向に向かっている）、及び下部電極１０３の表面又は上部電極１０５の表面に突出している、支持構造１０１の内縁１０９（支持構造１０１と屈曲可能な透明カバー部材１０２との間の界面）を示している。現在示されている実施形態では、光軸と平行な方向で観察したときの１以上の圧電アクチュエータ１０３、１０４、１０５の外縁（本実施形態では、単一の圧電アクチュエータであり、これは、切り取られた部分のために見えないが、光軸１１０及び光学アパーチャ１１１を完全に囲む閉リングを形成する）が第１線を定義し、光軸と平行な方向で観察したときの支持構造１０１と屈曲可能な透明カバー部材１０２との間の界面における支持構造の内縁１０９が第２線を定義し、ここで、第１線及び第２線は、光軸と平行な方向から観察したときに８位置（そのうちの６位置のみを示しているが、残りの２位置は切り取られた部分に存在する）で互いに交差していることが分かる。
【００８４】
図２は、一実施例（実施例Ｅ）の上面概略図であり、さらに、複数の実施形態（実施形態Ｂ、Ｃ及びＤ）及び他の実施例（実施例Ａ）を示す。図（図８〜図２０と同様）は、１／４の光学素子及び１／４の光学アパーチャ（半径１１４は１．０５ｍｍである）を示しており、全幅（半幅１１６の２倍に相当）は３．７ｍｍである（光軸は紙面に直交する方向で左下角と交差し、残りの３／４は光軸を中心に９０°、１８０°及び２７０°回転しているが同一）。例えば、下部電極１０３（図１８〜図２０では見えない）、支持構造の内縁１０９、レンズ本体１０７の位置の輪郭、透明後窓１０６の位置の輪郭などの図２のいくつかの特徴（図８〜図２０と同様）は、図１の斜視図の上面図に対応する。図２（図１８〜図２０と同様）はさらに、（外縁２１５Ｅを示す実線及び外縁２１５Ａ〜Ｄを示す破線で示されるように）可能な複数の異なる第１線を示す。半幅１１６は、スケールバーと見なすことができ、さらに、抜粋されたものの高さはその幅と同じなので、図は正確な寸法を示していることに留意されたい。
【００８５】
図示された実施例Ｅにおいて、上部電極１０５は圧電活性層と一致し、上部電極１０５の外縁２１５Ｅも第１線と一致する。図は、外縁２１５Ｅがいかなる位置においても第２線１０９と交差せず、かつ平行でもなく一致もしない（第２線で囲まれた領域の外側であるなど、完全に外側である）ことを示す。
【００８６】
図は、上部電極１０５（及び圧電活性層）及び第１線に対する他の可能なシナリオを（破線２１５Ａ〜Ｄを通じて）示している。
【００８７】
（破線Ａを通じて）図示された実施例Ａにおいて、上部電極は圧電活性層と一致し、上部電極の外縁２１５Ａも第１線と一致する。図は、外縁２１５Ａがいかなる位置においても第２線１０９と交差せず、かつ平行でもなく一致もしない（完全に内側にある）ことを示す。
【００８８】
（破線Ｂ及びＣを通じて）図示された実施形態Ｂ及びＣにおいて、上部電極は圧電活性層と一致し、上部電極の外縁２１５Ｂ及び２１５Ｃも第１線と一致する。図は、外縁２１５Ｂ及び２１５Ｃがそれぞれ、１／４において２位置（内側及び外側の両方）、すなわち合計８位置で第２線１０９と交差することを示している。
【００８９】
（破線Ｄを通じて）図示された実施形態Ｄにおいて、上部電極は圧電活性層と一致し、上部電極の外縁２１５Ｄも第１線と一致する。図は、外縁２１５Ｄが、１／４において（すなわち、角）１位置（そこ以外は完全に外側）、すなわち合計４位置で第２線１０９と平行でありかつ一致することを示している。残りの第１線（第２線と平行でなく一致しない第１線など）は、第２線で囲まれた領域の外側にある。
【００９０】
また、支持構造の内縁１０９は、外接する正方形又は外接する長方形が提供され得る開口部を定義し、光軸に平行な方向から観察したときの第１線及び第２線は、以下の位置において交差し、又は平行でありかつ一致することが分かる。
ａ．外接する正方形の最も近い辺の中心
から
ｂ．外接する正方形の最も近い辺への前記位置への投影
までの距離が、
３つの実施形態に対する外接する正方形の辺長の半分の４３％（実施形態Ｂ）、５４％（実施形態Ｃ）及び８５％（実施形態Ｄ）である位置。
【００９１】
図３は、図２に示す実施例Ａ及びＥ並びに実施形態Ｂ〜Ｄに対して、１以上のピエゾ抵抗アクチュエータに印加される電圧（０〜４０ボルトの範囲）の関数としての全ＷＦＥＲＭＳ（０〜８０ｎｍの範囲）を示すシミュレーションデータを有するグラフである。
【００９２】
より具体的には、実施例Ａ（黒丸を目印にした実線曲線）、実施形態Ｂ（黒塗りの三角形を目印にした破線）、実施形態Ｃ（白抜きの菱形を目印にした一点鎖線）、実施形態Ｄ（十字線を目印にした点線）及び実施例Ｅ（黒塗りの正方形を目印にした実線）である。図は、全ての曲線がいくつかの点で低い値のＷＦＥＲＭＳを示すが、実施形態Ｂ〜Ｄのみが図示の範囲にわたって６０ｎｍ未満となっていることを示す。
【００９３】
図４は、図２に示す実施例Ａ及びＥ並びに実施形態Ｂ〜Ｄに対して、１以上のピエゾ抵抗アクチュエータに印加される電圧（０〜４０ボルトの範囲）の関数としてのテトラフォイルＷＦＥ（−８０ｎｍ〜＋６０ｎｍの範囲）を示すシミュレーションデータを有するグラフである。より具体的には、実施例Ａ（黒丸を目印にした実線曲線）、実施形態Ｂ（黒塗りの三角形を目印にした実線曲線）、実施形態Ｃ（白抜きの菱形を目印にした実線曲線）、実施形態Ｄ（十字線を目印にした実線曲線）及び実施例Ｅ（黒塗りの正方形を目印にした実線）である。図は、すべての実施形態Ｂ〜Ｄが１０〜４０ボルトの範囲にわたって実施例Ａ及びＥより（絶対的に）下になっていることを示す。テトラフォイルＷＦＥへの寄与が低いことは、本発明の実施形態がなぜ低全ＷＦＥＲＭＳをもたらすのかを少なくとも部分的に説明することができる。
【００９４】
図５及び図６は、（光軸５１０に面する側壁５１２を有する）支持構造５０１、屈曲可能な透明カバー部材５０２、圧電アクチュエータ５０４、変形可能な透明レンズ本体５０７、透明後窓５０６、支持構造体５０１の内側のキャビティ５０８、光軸５１０、及び光学アパーチャ５１１を含む光学レンズを有する実施形態５００、６００の側面図である。
【００９５】
図５において、厚さ５１８は、
支持構造上の、カバー部材から最も離れている点
から
１以上の圧電アクチュエータ（選択的に電気接点素子を含む）上の、カバー部材から最も離れている点
までの距離に対応する。
【００９６】
図６において、厚さ６１８は、
レンズ本体（又はレンズ本体の後窓）の、カバー部材から最も離れている点
から
１以上の圧電アクチュエータ（選択的に電気接点要素を含む）上の、カバー部材から最も離れている点
までの距離に対応する。
【００９７】
図７は、反射素子７００を有する実施形態の側面図である。反射性実施形態７００は、レンズ本体も後窓も存在しないこと、及びカバー部材７０２が（上側及び／又は下側などの）両側で反射性であって光７２０は片側又は両側から反射され得ることを除いて、図５〜図６に示す実施形態５００、６００と同様である。
【００９８】
図８〜図２０のそれぞれにおいて、与えられた寸法（なお、単位なしで与えられている図中の寸法の数字はミリメートルで与えられている）はいずれもスケールバーと見なすことができ、さらに各図の抜粋されたものの高さはその幅と同じなので、図は正確な寸法を示していることにさらに留意されたい。
【００９９】
図８は、実施例Ａの概略上面図であり、実施例Ａのみを示すことを除いて、図２と同様である。
【０１００】
図９は、寸法が付された実施例Ａの概略上面図である。図は、実施例Ａの第１線が直径１．６ｍｍの円形であることを示している。
【０１０１】
図１０は、実施形態Ｂの概略上面図であり、実施形態Ｂのみを示すことを除いて、図２と同様である。
【０１０２】
図１１は、寸法が付された実施形態Ｂの概略上面図である。図は、実施形態Ｂの第１線が直径１．８９５ｍｍの円形であることを示している。
【０１０３】
図１２は、実施形態Ｃの概略上面図であり、実施形態Ｃのみを示すことを除いて、図２と同様である。
【０１０４】
図１３は、寸法が付された実施形態Ｃの概略上面図である。図は、実施形態Ｃの第１線が円形状の丸い角を有する正方形であることを示している。
【０１０５】
図１４は、実施形態Ｄの概略上面図であり、実施形態Ｄのみを示すことを除いて、図２と同様である。
【０１０６】
図１５は、寸法が付された実施形態Ｄの概略上面図である。図は、実施形態Ｄの第１線が円形状の丸い角を有する正方形であることを示している。
【０１０７】
図１６は、実施例Ｅの概略上面図であり、実施例Ｅのみを示すことを除いて、図２と同様である。
【０１０８】
図１７は、寸法が付された実施例Ｅの概略上面図である。
【０１０９】
図１８は、実施形態Ｃの変形例の概略上面図である。
【０１１０】
図１９は、実施形態Ｄの変形例の概略上面図である。
【０１１１】
図２０は、実施形態Ｅの変形例の概略上面図である。
【０１１２】
図１８〜図２０は、それぞれ実施形態Ｃ´、Ｄ´及びＥ´と呼ぶことができる実施形態の上面概略図をそれぞれ示している。これらはそれぞれ、（例えば、図２に下部電極１０３と図示される）下部電極が圧電活性層を越えて延びていない実施形態Ｃ、Ｄ及びＥのそれぞれの変形に対応するからである。これは、全ＷＦＥＲＭＳを最小化する効果を変えない。
【０１１３】
図２１は、複数の実施例及び実施形態（実施例Ａ及びＤ並びに実施形態Ｂ−Ｃ−Ｄ）に関する全ＷＦＥＲＭＳを示すグラフである。図２１は、より広い範囲の電圧（０〜５０ボルト）にわたることを除いて、図３と同様である。
【０１１４】
図２２は、複数の実施例及び実施形態（実施例Ａ及びＤ並びに実施形態Ｂ−Ｃ−Ｄ）に関するテトラフォイルＷＦＥを示すグラフである。図２２は、より広い範囲の電圧（０〜５０ボルト）にわたることを除いて、図３と同様である。
【０１１５】
図２３は、複数の実施例及び実施形態（実施例Ａ及びＤ並びに実施形態Ｂ−Ｃ−Ｄ）に関する屈折力（ジオプトリ［ｄｐｔ］）を示すグラフである。
【０１１６】
実施形態又は代替的な実施形態Ｅ１〜Ｅ１５は、以下の通り開示される。
【０１１７】
Ｅ１．以下を含む光学素子（１００、５００、６００、７００）： 
−  側壁（１１２、５１２）を有する支持構造（１０１、５０１）、
−  以下に取り付けられた屈曲可能なカバー部材（１０２、５０２、７０２）、
〇  前記側壁（１１２、５１２）
−  前記屈曲可能なカバー部材（１０２、５０２、７０２）を所望の形状に成形するように配置された１以上の圧電アクチュエータ（１０３、１０４、１０５）、
ここで、前記光学素子（１００、５００、６００、７００）は、光軸（１１０、５１０）を有する光学活性領域（１１１、５１１）を含み、ここで、
−  前記光軸（１１０、５１０）に平行な方向から観察したときの前記１以上の圧電アクチュエータ（１０３、１０４、１０５）の外縁（２１５Ａ〜Ｅ）は、第１線を定義し、
−  前記支持構造（１０１、５０１）と前記屈曲可能なカバー部材（１０２、５０２、７０２）との間の界面における、前記光軸（１１０、５１０）に平行な方向から観察したときの前記支持構造（１０１、５０１）の内縁（１０９）は、第２線を定義し、
ここで、前記光軸（１１０、５１０）に平行な方向から観察したときの前記第１線及び前記第２線は、
−  ２以上の位置で互いに交差し、及び／又は
−  １以上の位置で平行でありかつ一致する。
【０１１８】
Ｅ２．先行する実施形態のいずれかに記載の光学素子（１００、５００、６００）、ここで、前記光学素子は、以下を含む屈折レンズである：
−  前記支持構造の前記側壁（１０１、５０１）によって囲まれた少なくとも１の変形可能な透明レンズ本体（１０７、５０７）、
ここで、前記屈曲可能なカバー部材（１０２、５０２）は、以下に取り付けられた屈曲可能な透明カバー部材である。
〇  前記少なくとも１の変形可能な透明レンズ本体（１０７、５０７）の表面
【０１１９】
Ｅ３．先行する実施形態のいずれかに記載の光学素子（７００）、ここで、前記光学素子は反射素子であり、前記屈曲可能なカバー部材（７０２）は、前記支持構造とは反対側に面する側及び／又は前記支持構造に面する側が反射性である。
【０１２０】
Ｅ４．先行する実施形態のいずれかに記載の光学素子（１００、５００、６００、７００）、ここで、前記１以上の圧電アクチュエータ（１０３、１０４、１０５）に印加される４０ボルトの範囲全体（例えば、０〜４０ボルト）、例えば、１００ボルトの範囲（例えば、０〜１００ボルト）にわたる全波面誤差（ＷＦＥＲＭＳ）は６０ｎｍ以下であり、例えば、５０ｎｍ、４０ｎｍ、３０ｎｍ、２５ｎｍ、２０ｎｍなどである。
【０１２１】
Ｅ５．先行する実施形態のいずれかに記載の光学素子（１００、５００、６００、７００）、ここで、５ジオプトリの範囲全体、例えば、１０ジオプトリの範囲全体、１３ジオプトリの範囲全体などにわたって、全波面誤差（ＷＦＥＲＭＳ）は６０ｎｍ以下であり、例えば、５０ｎｍ、４０ｎｍ、３０ｎｍ、２５ｎｍ、２０ｎｍなどである。
【０１２２】
Ｅ６．先行する実施形態のいずれかに記載の光学素子（１００、５００、６００、７００）、ここで、
−  前記第１及び第２線が交差しないか、又は１以上の位置で平行でありかつ一致する、対応する光学素子のための１以上の圧電アクチュエータ（１０３、１０４、１０５）に印加される４０ボルトの範囲全体、例えば、１００ボルトの範囲にわたる最大全波面誤差（ＷＦＥＲＭＳ）は、
−  前記光軸（１１０、５１０）に平行な方向から観察したときの前記第１線及び前記第２線が
〇  ２以上の位置で互いに交差し、及び／又は
１以上の位置で平行でありかつ一致する前記光学素子のための前記１以上の圧電アクチュエータ（１０３、１０４、１０５）に印加される４０ボルトの範囲全体、例えば、１００ボルトの範囲にわたる最大全波面誤差（ＷＦＥＲＭＳ）より、
少なくとも１０％、例えば、２０％、３０％、４０％、５０％、１００％、２５０％だけ大きい。
【０１２３】
Ｅ７．先行する実施形態のいずれかに記載の光学素子（１００、５００、６００、７００）、ここで、前記支持構造（１０１、５０１）の前記内縁（１０９）は、外接する長方形又は正方形の最小辺長が、２．５ｍｍ以上、例えば、２．８ｍｍ以上、３．０ｍｍ以上、３．５ｍｍ以上、３．８ｍｍ以上、４．０ｍｍ以上、４．５ｍｍ以上、５ｍｍ、１０ｍｍなどになるように開口部を定義する。
【０１２４】
Ｅ８．先行する実施形態のいずれかに記載の光学素子（１００、５００、６００、７００）、ここで、前記光学素子の厚さ（５１８、６１８）は、１ｍｍ以下、例えば、７００マイクロメートル以下、５００マイクロメートル以下、４５０マイクロメートル以下、４２５マイクロメートル以下、４００マイクロメートルなどである。
【０１２５】
Ｅ９．先行する実施形態のいずれかに記載の光学素子（１００、５００、６００、７００）、ここで、前記支持構造（１０１、５０１）の内縁（１０９）は、外接する正方形が提供され得る開口部を定義し、前記光軸に平行な方向から観察したときの前記第１線及び前記第２線は、以下の位置において交差し、又は平行でありかつ一致する。
ａ．外接する正方形の最も近い辺の中心
から
ｂ．外接する正方形の最も近い辺への前記位置への投影
までの距離が、
外接する正方形の辺長の半分の［１０；９０］％の範囲内、例えば、外接する正方形の辺長の半分の［１５；８５］％の範囲内、［２０；８０］％の範囲内、［２５；７５］％の範囲内、［３０；７０］％の範囲内、［４０；６０］％の範囲内、［４５；６０］％の範囲内、［５０；５５］％の範囲内などである位置。
【０１２６】
Ｅ１０．実施形態Ｅ２に記載の光学レンズ（１００、５００、６００）、ここで、前記少なくとも１の変形可能な透明レンズ本体は、固体ポリマーなどのポリマーを含む。
【０１２７】
Ｅ１１．実施形態Ｅ２又はＥ１０に記載の光学レンズ（１００、５００、６００）、ここで、前記少なくとも１の変形可能な透明レンズ本体は、３００Ｐａより大きい弾性率、１．３５を超える屈折率、及び厚さ１ミリメートル当たり１０％より小さい可視範囲における吸光度を有していてもよい。
【０１２８】
Ｅ１２．先行する実施形態のいずれかに記載の光学素子（１００、５００、６００、７００）、ここで、前記光学活性領域の直径は、１０ｍｍ以下、例えば、７．５ｍｍ以下、５ｍｍ以下、２．５ｍｍ以下、１．５５ｍｍ以下、１ｍｍ以下などである。
【０１２９】
Ｅ１３．先行する実施形態のいずれかに記載の光学素子（１００、５００、６００、７００）を製造するための方法、前記方法は、以下を含む：
−  堆積によって前記屈曲可能なカバー部材（１０２、５０２、７０２）の上に前記１以上の圧電アクチュエータ（１０３、１０４、１０５）を提供すること。
【０１３０】
Ｅ１４．以下を含むカメラ 
ａ．実施形態Ｅ１〜Ｅ１２のいずれかに記載の光学素子（１００、５００、６００、７００）、又は
ｂ．Ｅ１２に従って製造された光学素子（１００、５００、６００、７００）。
【０１３１】
Ｅ１５．以下の使用であって
ａ．実施形態Ｅ１〜Ｅ１２のいずれかに記載の光学素子（１００、５００、６００、７００）、又は
ｂ．Ｅ１３に従って製造された光学素子（１００、５００、６００、７００）、
１以上の画像を取得するためのもの。
【０１３２】
上記の実施形態、又は代替的な実施形態Ｅ１〜Ｅ１５に対して、先述の「実施形態」への言及は、実施形態Ｅ１〜Ｅ１５における先述の実施形態を指すことがあることを理解することができる。
【０１３３】
本発明は特定の実施形態に関連して説明したが、開示された実施例に限定されると解釈されるべきではない。本発明の範囲は、添付の特許請求の範囲に述べられている。特許請求の範囲の文脈において、用語「ｃｏｍｐｒｉｓｉｎｇ」又は「ｃｏｍｐｒｉｓｅｓ」は、他の可能な要素又はステップを除外するものではない。また、「ａ」又は「ａｎ」などのような参照の言及は、複数を除外するものであると解釈されるべきではない。図面に示された要素に関する請求項における参照符号の使用もまた、本発明の範囲を限定するものとして解釈されるべきではない。さらに、異なる請求項に記載の個々の特徴は、おそらく有利に組み合わせることができ、異なる請求項におけるこれらの特徴の言及は、特徴の組み合わせができないこと及び有利でないことを除外するものではない。
【図１】
2020510245.tif 000004
【図２】
2020510245.tif 000005
【図３】
2020510245.tif 000006
【図４】
2020510245.tif 000007
【図５】
2020510245.tif 000008
【図６】
2020510245.tif 000009
【図７】
2020510245.tif 000010
【図８】
2020510245.tif 000011
【図９】
2020510245.tif 000012
【図１０】
2020510245.tif 000013
【図１１】
2020510245.tif 000014
【図１２】
2020510245.tif 000015
【図１３】
2020510245.tif 000016
【図１４】
2020510245.tif 000017
【図１５】
2020510245.tif 000018
【図１６】
2020510245.tif 000019
【図１７】
2020510245.tif 000020
【図１８】
2020510245.tif 000021
【図１９】
2020510245.tif 000022
【図２０】
2020510245.tif 000023
【図２１】
2020510245.tif 000024
【図２２】
2020510245.tif 000025
【図２３】
2020510245.tif 000026
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
以下を含む光学素子（１００、５００、６００、７００）：
−  側壁（１１２、５１２）を有する支持構造（１０１、５０１）、
−  以下に取り付けられた屈曲可能なカバー部材（１０２、５０２、７０２）、
○  前記側壁（１１２、５１２）、
−  前記屈曲可能なカバー部材（１０２、５０２、７０２）を所望の形状に成形するように配置された圧電アクチュエータ（１０３、１０４、１０５）、ここで、前記圧電アクチュエータ（１０３、１０４、１０５）は、圧電材（１０４）と、前記圧電材の上方及び／又は下方の電極層（１０３、１０５）と、を含む、
ここで、前記光学素子は、以下を含む：
ａ．下部電極（１０３）、
ｂ．圧電活性層（１０４）形態の圧電材、及び
ｃ．上部電極（１０５）、
ここで、前記光軸（１１０、５１０）に平行な方向から観察したときの前記圧電アクチュエータの位置は、前記下部電極（１０３）、前記圧電活性層（１０４）及び前記上部電極（１０５）の全てが重なる位置によって与えられ、
ここで、前記光学素子（１００、５００、６００、７００）は、光軸（１１０、５１０）を有する光学活性領域（１１１、５１１）を含み、ここで、
−  前記圧電アクチュエータは、前記光軸を完全に囲む閉じた線を形成し、前記光軸（１１０、５１０）に平行な方向から観察したときの前記圧電アクチュエータ（１０３、１０４、１０５）の外縁（２１５Ａ〜Ｅ）は、第１線を定義し、ここで、前記外縁は、前記光軸とは反対側に面する前記圧電アクチュエータの前記縁に対応する閉じた線であり、
−  前記光軸（１１０、５１０）に平行な方向から観察したときの前記支持構造（１０１、５０１）と前記屈曲可能なカバー部材（１０２、５０２、７０２）との間の界面における前記支持構造（１０１、５０１）の内縁（１０９）は、第２線を定義し、
ここで、前記光軸（１１０、５１０）に平行な方向から観察したときの前記第１線及び前記第２線は、
−  ２以上の位置で互いに交差し、及び／又は
−  １以上の位置で平行でありかつ一致する。
【請求項２】
先行する請求項のいずれかに記載の光学素子（１００、５００、６００）、ここで、上方及び下方は前記光軸に平行な方向を表し、上方は前記支持構造から前記カバー部材への正方向であり、下方は前記支持構造から前記カバー部材への負方向である。
【請求項３】
先行する請求項のいずれかに記載の光学素子（１００、５００、６００）、ここで、前記圧電アクチュエータに含まれる、前記圧電材の上方及び／又は下方の前記電極層の１以上の部分は、前記光軸に平行な線と交差する前記１以上の部分であり、該線も前記圧電材と交差する。
【請求項４】
先行する請求項のいずれかに記載の光学素子（１００、５００、６００）、ここで、前記第２線は、丸い角を有する正方形などの長方形を定義する。
【請求項５】
先行する請求項のいずれかに記載の光学素子（１００、５００、６００）、ここで、前記第２線は、丸い角を有する正方形を定義する。
【請求項６】
先行する請求項のいずれかに記載の光学素子（１００、５００、６００）、ここで、前記光学素子は、以下を含む屈折レンズである：
−  前記支持構造の前記側壁（１０１、５０１）によって囲まれた少なくとも１の変形可能な透明レンズ本体（１０７、５０７）、
ここで、前記屈曲可能なカバー部材（１０２、５０２）は、以下に取り付けられた屈曲可能な透明カバー部材である。
〇  前記少なくとも１の変形可能な透明レンズ本体（１０７、５０７）の表面
【請求項７】
先行する請求項のいずれかに記載の光学素子（７００）、ここで、前記光学素子は反射素子であり、ここで、前記屈曲可能なカバー部材（７０２）は、前記支持構造とは反対側に面する側及び／又は前記支持構造に面する側が反射性である。
【請求項８】
先行する請求項のいずれかに記載の光学素子（１００、５００、６００、７００）、ここで、前記圧電アクチュエータ（１０３、１０４、１０５）に印加される４０ボルトの範囲全体（例えば、０〜４０ボルト）、例えば、１００ボルトの範囲（例えば、０〜１００ボルト）にわたる全波面誤差（ＷＦＥＲＭＳ）は６０ｎｍ以下であり、例えば、５０ｎｍ、４０ｎｍ、３０ｎｍ、２５ｎｍ、２０ｎｍなどである。
【請求項９】
先行する請求項のいずれかに記載の光学素子（１００、５００、６００、７００）、ここで、５ジオプトリの範囲全体、例えば、１０ジオプトリの範囲全体、１３ジオプトリの範囲全体、例えば、［−３；＋１０］ジオプトリの範囲全体）、２８ジオプトリの範囲全体、３０ジオプトリの範囲全体（例えば、［−４；＋２６］ジオプトリ）、５４ジオプトリの範囲全体（例えば、［−４；＋５０］ジオプトリ）などにわたって、全波面誤差（ＷＦＥＲＭＳ）は６０ｎｍ以下であり、例えば、５０ｎｍ、４０ｎｍ、３０ｎｍ、２５ｎｍ、２０ｎｍなどである。
【請求項１０】
先行する請求項のいずれかに記載の光学素子（１００、５００、６００、７００）、ここで、
−  前記第１及び第２線が交差しないか、又は１以上の位置で平行でありかつ一致する、対応する光学素子のための前記圧電アクチュエータ（１０３、１０４、１０５）に印加される４０ボルトの範囲全体、例えば、１００ボルトの範囲にわたる最大全波面誤差（ＷＦＥＲＭＳ）は、
−  前記光軸（１１０、５１０）に平行な方向から観察したときの前記第１線及び前記第２線が
〇  ２以上の位置で互いに交差し、及び／又は
１以上の位置で平行でありかつ一致する、前記光学素子のための前記圧電アクチュエータ（１０３、１０４、１０５）に印加される４０ボルトの範囲全体、例えば、１００ボルトの範囲にわたる最大全波面誤差（ＷＦＥＲＭＳ）より、
少なくとも１０％、例えば、２０％、３０％、４０％、５０％、１００％、２５０％だけ大きい。
【請求項１１】
先行する請求項のいずれかに記載の光学素子（１００、５００、６００、７００）、ここで、光学活性領域は、光学アパーチャに対応する。
【請求項１２】
先行する請求項のいずれかに記載の光学素子（１００、５００、６００、７００）、ここで、前記屈曲可能なカバー部材（１０２、５０２、７０２）は、ヤング率が２０〜６０ＧＰａのガラスなどのガラスである。
【請求項１３】
請求項９〜１２のいずれか一項に記載の光学素子（１００、５００、６００、７００）、ここで、前記全波面誤差（ＷＦＥＲＭＳ）は６３０ｎｍで測定される。
【請求項１４】
先行する請求項のいずれかに記載の光学素子（１００、５００、６００、７００）、ここで、前記１以上の圧電アクチュエータは、前記光軸を囲む１の圧電アクチュエータを含み、前記圧電アクチュエータの前記光軸に面する内縁は、前記光軸を中心とする円を形成する。
【請求項１５】
先行する請求項のいずれかに記載の光学素子（１００、５００、６００、７００）、ここで、前記第１線は、円形状に丸い角を有する正方形などの丸い角を有する正方形である。
【請求項１６】
先行する請求項のいずれかに記載の光学素子（１００、５００、６００、７００）、ここで、前記第１線は、円形状などのような、実質的に円形状である。
【請求項１７】
先行する請求項のいずれかに記載の光学素子（１００、５００、６００、７００）、ここで：
−  前記光学レンズは、９５％以上の、例えば、波長範囲及び入射角範囲内の平均透過率を有し、
−  可視範囲にわたる最小透過率は、例えば、任意の可視波長において、９４％以上であり、及び／又は、ここで、
可視範囲にわたる波長範囲が任意の可視波長に限定されるような平均反射率は２．５％以下である。
【請求項１８】
先行する請求項のいずれかに記載の光学素子（１００、５００、６００、７００）、ここで、前記支持構造（１０１、５０１）の前記内縁（１０９）は、外接する長方形又は正方形の最小辺長が、２．５ｍｍ以上、例えば、２．８ｍｍ以上、３．０ｍｍ以上、３．５ｍｍ以上、３．８ｍｍ以上、４．０ｍｍ以上、４．５ｍｍ以上、５ｍｍ、１０ｍｍなどになるように開口部を定義する。
【請求項１９】
先行する請求項のいずれかに記載の光学素子（１００、５００、６００、７００）、ここで、前記光学素子の厚さ（５１８、６１８）は、１ｍｍ以下、例えば、７００マイクロメートル以下、５００マイクロメートル以下、４５０マイクロメートル以下、４２５マイクロメートル以下、４００マイクロメートルなどである。
【請求項２０】
先行する請求項のいずれかに記載の光学素子（１００、５００、６００、７００）、ここで、前記支持構造（１０１、５０１）の前記内縁（１０９）は、外接する正方形又は外接する長方形が提供され得る開口部を定義し、ここで、前記光軸に平行な方向から観察したときの前記第１線及び前記第２線は、以下の位置において交差し、又は平行でありかつ一致する。
ａ．前記外接する正方形又は前記外接する長方形の最も近い辺の中心
から
ｂ．前記外接する正方形又は前記外接する長方形の最も近い辺への前記位置への投影
までの距離が、
前記外接する正方形又は前記外接する長方形の辺長の半分の［１０；９０］％の範囲内、例えば、前記外接する正方形又は前記外接する長方形の辺長の半分の［１５；８５］％の範囲内、［２０；８０］％の範囲内、［２５；７５］％の範囲内、［３０；７０］％の範囲内、［４０；６０］％の範囲内、［４５；６０］％の範囲内、［５０；５５］％の範囲内などである位置
【請求項２１】
請求項６に記載の光学レンズ（１００、５００、６００）、ここで、前記少なくとも１の変形可能な透明レンズ本体は、固体ポリマーなどのポリマーを含む。
【請求項２２】
請求項６又は２１に記載の光学レンズ（１００、５００、６００）、ここで、前記少なくとも１の変形可能な透明レンズ本体は、３００Ｐａより大きい弾性率、１．３５を超える屈折率、及び厚さ１ミリメートル当たり１０％より小さい可視範囲における吸光度を有していてもよい。
【請求項２３】
先行する請求項のいずれかに記載の光学素子（１００、５００、６００、７００）、ここで、前記光学活性領域の直径は、１０ｍｍ以下、例えば、７．５ｍｍ以下、５ｍｍ以下、２．５ｍｍ以下、１．９ｍｍ以下、１．５５ｍｍ以下、１ｍｍ以下などである。
【請求項２４】
先行する請求項のいずれかに記載の光学素子（１００、５００、６００、７００）、ここで、前記光学活性領域の直径は、１ｍｍ以上、例えば、１．５５ｍｍ以上、１．９ｍｍ以上、２ｍｍ以上、２．５ｍｍ以上などである。
【請求項２５】
先行する請求項のいずれかに記載の光学素子（１００、５００、６００、７００）、ここで、前記圧電アクチュエータ及び前記屈曲可能なカバー部材は、例えば、５ジオプトリの範囲全体、１０ジオプトリの範囲全体、１３ジオプトリの範囲全体、例えば、［−３；＋１０］ジオプトリの範囲全体）などにわたって、前記圧電アクチュエータが駆動時に前記屈曲可能なカバー部材を直接変形させるように配置されている。
【請求項２６】
先行する請求項のいずれかに記載の光学素子（１００、５００、６００、７００）を製造するための方法であって、前記方法は、以下を含む：
−  堆積によって前記屈曲可能なカバー部材（１０２、５０２、７０２）の上に前記圧電アクチュエータ（１０３、１０４、１０５）を提供すること。
【請求項２７】
以下を含むカメラ
ｃ．請求項１〜２５のいずれか一項に記載の光学素子（１００、５００、６００、７００）、又は
ｄ．請求項２６に従って製造された光学素子（１００、５００、６００、７００）。
【請求項２８】
以下の使用であって
ｃ．請求項１〜２５のいずれか一項に記載の光学素子（１００、５００、６００、７００）、又は
ｄ．請求項２６に従って製造された光学素子（１００、５００、６００、７００）、
１以上の画像を取得するためのもの。
【手続補正書】
【提出日】令和1年11月6日(2019.11.6)
【手続補正１】
【補正対象書類名】特許請求の範囲
【補正対象項目名】全文
【補正方法】変更
【補正の内容】
【特許請求の範囲】
【請求項１】
以下を含む光学素子（１００、５００、６００、７００）：
−  側壁（１１２、５１２）を有する支持構造（１０１、５０１）、
−  以下に取り付けられた屈曲可能なカバー部材（１０２、５０２、７０２）、
○  前記側壁（１１２、５１２）、
−  前記屈曲可能なカバー部材（１０２、５０２、７０２）を所望の形状に成形するように配置された圧電アクチュエータ（１０３、１０４、１０５）、ここで、前記圧電アクチュエータ（１０３、１０４、１０５）は、圧電材（１０４）と、前記圧電材の上方及び／又は下方の電極層（１０３、１０５）と、を含む、
ここで、前記光学素子は、以下を含む：
ａ．下部電極（１０３）、
ｂ．圧電活性層（１０４）形態の圧電材、及び
ｃ．上部電極（１０５）、
ここで、前記光軸（１１０、５１０）に平行な方向から観察したときの前記圧電アクチュエータの位置は、前記下部電極（１０３）、前記圧電活性層（１０４）及び前記上部電極（１０５）の全てが重なる位置によって与えられ、
ここで、前記光学素子（１００、５００、６００、７００）は、光軸（１１０、５１０）を有する光学活性領域（１１１、５１１）を含み、ここで、
−  前記圧電アクチュエータは、前記光軸を完全に囲む閉じた線を形成し、前記光軸（１１０、５１０）に平行な方向から観察したときの前記圧電アクチュエータ（１０３、１０４、１０５）の外縁（２１５Ａ〜Ｅ）は、第１線を定義し、ここで、前記外縁は、前記光軸とは反対側に面する前記圧電アクチュエータの前記縁に対応する閉じた線であり、
−  前記光軸（１１０、５１０）に平行な方向から観察したときの前記支持構造（１０１、５０１）と前記屈曲可能なカバー部材（１０２、５０２、７０２）との間の界面における前記支持構造（１０１、５０１）の内縁（１０９）は、第２線を定義し、
ここで、前記光軸（１１０、５１０）に平行な方向から観察したときの前記第１線及び前記第２線は、
−  ２以上の位置で互いに交差し、及び／又は
−  １以上の位置で平行でありかつ一致する。
【請求項２】
請求項１に記載の光学素子（１００、５００、６００）、ここで、上方及び下方は前記光軸に平行な方向を表し、上方は前記支持構造から前記カバー部材への正方向であり、下方は前記支持構造から前記カバー部材への負方向である。
【請求項３】
請求項１に記載の光学素子（１００、５００、６００）、ここで、前記圧電アクチュエータに含まれる、前記圧電材の上方及び／又は下方の前記電極層の部分は、前記光軸に平行な線と交差する前記部分であり、該線も前記圧電材と交差する。
【請求項４】
請求項１に記載の光学素子（１００、５００、６００）、ここで、前記第２線は、丸い角を有する長方形を定義する。
【請求項５】
請求項１に記載の光学素子（１００、５００、６００）、ここで、前記第２線は、丸い角を有する正方形を定義する。
【請求項６】
請求項１に記載の光学素子（１００、５００、６００）、ここで、前記光学素子は、以下を含む屈折レンズである：
−  前記支持構造の前記側壁（１０１、５０１）によって囲まれた少なくとも１の変形可能な透明レンズ本体（１０７、５０７）、
ここで、前記屈曲可能なカバー部材（１０２、５０２）は、以下に取り付けられた屈曲可能な透明カバー部材である。
〇  前記少なくとも１の変形可能な透明レンズ本体（１０７、５０７）の表面
【請求項７】
請求項１に記載の光学素子（７００）、ここで、前記光学素子は反射素子であり、ここで、前記屈曲可能なカバー部材（７０２）は、前記支持構造とは反対側に面する側及び／又は前記支持構造に面する側が反射性である。
【請求項８】
請求項１に記載の光学素子（１００、５００、６００、７００）、ここで、前記圧電アクチュエータ（１０３、１０４、１０５）に印加される４０ボルトの範囲全体にわたる全波面誤差（ＷＦＥＲＭＳ）は６０ｎｍ以下である。
【請求項９】
請求項１に記載の光学素子（１００、５００、６００、７００）、ここで、５ジオプトリの範囲全体にわたって、全波面誤差（ＷＦＥＲＭＳ）は６０ｎｍ以下である。
【請求項１０】
請求項１に記載の光学素子（１００、５００、６００、７００）、ここで、
−  前記第１及び第２線が交差しないか、又は１以上の位置で平行でありかつ一致する、対応する光学素子のための前記圧電アクチュエータ（１０３、１０４、１０５）に印加される４０ボルトの範囲全体にわたる最大全波面誤差（ＷＦＥＲＭＳ）は、
−  前記光軸（１１０、５１０）に平行な方向から観察したときの前記第１線及び前記第２線が
〇  ２以上の位置で互いに交差し、及び／又は
１以上の位置で平行でありかつ一致する、前記光学素子のための前記圧電アクチュエータ（１０３、１０４、１０５）に印加される４０ボルトの範囲全体にわたる最大全波面誤差（ＷＦＥＲＭＳ）より、
少なくとも１０％だけ大きい。
【請求項１１】
請求項１に記載の光学素子（１００、５００、６００、７００）、ここで、光学活性領域は、光学アパーチャに対応する。
【請求項１２】
請求項１に記載の光学素子（１００、５００、６００、７００）、ここで、前記屈曲可能なカバー部材（１０２、５０２、７０２）は、ガラスである。
【請求項１３】
請求項８に記載の光学素子（１００、５００、６００、７００）、ここで、前記全波面誤差（ＷＦＥＲＭＳ）は６３０ｎｍで測定される。
【請求項１４】
請求項１に記載の光学素子（１００、５００、６００、７００）、ここで、前記１以上の圧電アクチュエータは、前記光軸を囲む１の圧電アクチュエータを含み、前記圧電アクチュエータの前記光軸に面する内縁は、前記光軸を中心とする円を形成する。
【請求項１５】
請求項１に記載の光学素子（１００、５００、６００、７００）、ここで、前記第１線は、丸い角を有する正方形である。
【請求項１６】
請求項１に記載の光学素子（１００、５００、６００、７００）、ここで、前記第１線は、円形状である。
【請求項１７】
請求項１に記載の光学素子（１００、５００、６００、７００）、ここで：
−  前記光学レンズは、９５％以上の、波長範囲及び入射角範囲内の平均透過率を有し、
−  可視範囲にわたる最小透過率は、任意の可視波長において、９４％以上であり、及び／又は、ここで、
可視範囲にわたる波長範囲が任意の可視波長に限定される平均反射率は２．５％以下である。
【請求項１８】
請求項１に記載の光学素子（１００、５００、６００、７００）を製造するための方法であって、前記方法は、以下を含む：
−  堆積によって前記屈曲可能なカバー部材（１０２、５０２、７０２）の上に前記圧電アクチュエータ（１０３、１０４、１０５）を提供すること。
【請求項１９】
以下を含むカメラ
請求項１に記載の光学素子（１００、５００、６００、７００）。
【請求項２０】
以下の使用であって
請求項１に記載の光学素子（１００、５００、６００、７００）、１以上の画像を取得するためのもの。
【国際調査報告】
2020510245.tif 000027
2020510245.tif 000028
2020510245.tif 000029